(57)【要約】本発明は、衣服の様々な特性を改善するために、特に望ましくない皺、臭気などの軽減又は除去のために、回復、脱臭及び仕上げ組成物を選択し、それで衣服を処理する方法に関する。装置におけるその使用のための説明書を付随し、複数の使い捨て容器における複数の回復、脱臭及び仕上げ組成物を含有する製造物品も包含される。
2004506820.tif 000002
【特許請求の範囲】
【請求項１】
回復、脱臭及び仕上げ組成物を選択し衣服を処理する方法であって、
（ａ）前記衣服の衣料特性を確認する工程と、
（ｂ）前記衣服に所望の仕上げを確認する工程と、
前記仕上げが、堅調仕上げ又は柔軟仕上げであり、
（ｃ）（ａ）で確認された前記衣服の衣料特性及び（ｂ）で確認された前記衣服の仕上げに適切な少なくとも一つの回復、脱臭及び仕上げ組成物を確認する工程と、
（ｄ）適切な、回復、脱臭及び仕上げ組成物を選択する工程と、
（ｅ）任意選択的に、装置又はキャビネットの中で、有効量の（ｄ）で選択された回復、脱臭及び仕上げ組成物により前記衣服を処理する工程と、及び
（ｆ）任意選択的に、前記衣服を乾燥する工程の少なくとも一つの工程を含んでなる、方法。
【請求項２】
前記衣服の前記衣料特性が、改変することにより決定され、及び堅調、流動、伸縮及び／又はその組み合わせから成る群から選択される、請求項１に記載の方法。
【請求項３】
前記適切な、回復、脱臭及び仕上げ組成物が、
（ｉ）担体と、
（ｉｉ）有効量の悪臭を吸収し又は軽減する悪臭抑制剤と、
（ｉｉｉ）任意選択的に、有効量の皺減少活性物質と、
（ｉｖ）任意選択的に、有効量の布地柔軟剤と、
（ｖ）任意選択的に、有効量のシリコーン化合物及び／又はシリコーンエマルションと、
（ｖｉ）任意選択的に、カルボン酸部分を含まない添加ポリマー、布地保護用の糖類、リチウム塩、布地滑沢剤、及びこれらの混合物から成る群から選択される有効量の皺抑制補完剤と、
（ｖｉｉ）任意選択的に、有効量の表面張力抑制補完剤と、
（ｖｉｉｉ）任意選択的に、有効量の嗅覚効果を付与する香料と、
（ｉｘ）任意選択的に、有効量の可溶化した水溶性の抗菌防腐剤と、
（ｘ）任意選択的に、有効量の保湿剤と、及び
（ｘｉ）任意選択的に、臭気抑制添加物質、キレート化剤、粘度調節剤、静電気抑制剤、昆虫忌避剤、着色剤、目詰まり抑制剤、及びこれらの混合物から成る群から選択される添加成分とを含んでなり、
前記組成物が、３〜１１のｐＨ、１００ｃｐ未満の粘度を有し、かつ前記組成物が、（ｉｉｉ）又は（ｉｖ）のいずれかの少なくとも一つを含まなければならないものである、請求項１又は２に記載の方法。
【請求項４】
請求項１〜３のいずれか１項の方法に従って確認され、回復され、脱臭され、仕上げられた、衣服。
【請求項５】
柔軟仕上げ及び堅調仕上げから成る群から選択される処理の調製における物品を改変することを補助する非言語的な視覚上の指示を含んでなり、
任意選択的に、前記非言語的な視覚上の指示が、回復、脱臭及び仕上げ組成物により前記衣服に付与される好適性及び仕上げを視覚的に表示する表示を含んでなる衣服取扱標識との関連における、衣服。
【請求項６】
前記取扱標識の大きさが前記衣服の全体の大きさよりも著しく小さいものであり、
前記衣服取扱標識が個別の前記布地物品に取り付けられてなり、及び
前記非言語的な視覚上の指示が、前記衣服で使用するための回復、脱臭及び仕上げ組成物の非好適性を視覚的に表示する言語、記号及び／又はその組み合わせの表示をさらに含んでなる、請求項５に記載の衣服保護標識との関連における衣服。
【請求項７】
装置において衣服を回復し、脱臭し、仕上げるための製造物品であって、
（ａ）第一の回復、脱臭及び仕上げ組成物と、
前記第一の組成物が、
（ｉ）担体と、
（ｉｉ）悪臭を吸収し又は軽減するのに有効な量の悪臭抑制剤と、及び
（ｉｉｉ）有効量の皺減少活性物質、好ましくはカルボン酸部分を含むポリマー、（さらに好ましくはホモポリマー）とを含んでなり、
前記組成物が、３〜１１のｐＨ及び１００ｃＰ未満の粘度を有するものであり、
（ｂ）第一の使い捨て容器と、
前記第一の組成物が前記第一の使い捨て容器の中に含有されてなり、
（ｃ）第二の回復、脱臭及び仕上げ組成物と、
前記第二の組成物が、
（ｉ）担体と、
（ｉｉ）悪臭を吸収し又は軽減するのに有効な量の悪臭抑制剤と、及び
（ｉｖ）有効量の布地柔軟剤とを含んでなり、
前記組成物が、３〜１１のｐＨ及び１００ｃＰ未満の粘度を有するものであり、
（ｄ）第二の使い捨て容器と、
前記第二の組成物が、前記第二の使い捨て容器の中に含有されてなり、
（ｅ）前記衣服の衣料特性及び所望の仕上げを確認し、次いで、前記衣服の衣料特性及び所望の仕上げに適切である前記第一の又は第二の組成物のどちらかにより前記衣服を処理するための説明を含んでなる、前記第一及び第二の容器とに関連する一揃いの説明書とを含んでなる、製造物品。
【請求項８】
前記衣服の前記衣料特性が、改変することにより決定される、請求項７に記載の製造物品。
【請求項９】
前記一揃いの説明書が、前記衣服の衣料特性を確認するのを補助する非言語的な視覚上の指示をさらに含んでなる、請求項７または８にに記載の製造物品。
【発明の詳細な説明】
【０００１】
（関連出願に対する相互対照）
本出願は、２０００年８月１８日に提出された米国特許仮出願番号第６０／２２６，４２５号の利益を請求する。
【０００２】
（発明の分野）
本発明は、衣服の様々な特性を改善するために、特に望ましくない皺、臭気などを軽減し又は除去するために、回復、脱臭及び仕上げ組成物を選択し、それで衣服を処理する方法に関する。装置における使用のための説明書を付随し、複数の使い捨て容器における複数の回復、脱臭及び仕上げ組成物を含有する製造物品も包含される。
【０００３】
（発明の背景）
今日、衣類のスタイルには途方もない数が存在する。同様に、衣服業界では布地及び素材の明らかに果てしない選択が利用可能であり、布地はそれぞれ見たところ、独特の取扱いと処理の必要要件を有している。これらの取扱い及び処置の必要要件は、清潔ではあるが、外観において使い古された衣服にとって特に厄介である。衣服をドライクリーニングすることは高価で且つ時間がかかるが、鼻をつく不愉快な臭いを衣服に残す。その他に、物品にアイロンをかけることは可能な解決であると思われる。しかしながら、衣服のスタイル又は素材がアイロンかけを困難にし、衣服に取り返しのつかない損傷を生じる可能性がある。
【０００４】
簡単で、便利な工程を介して良好な外観を得るため、衣服のスタイル及び素材の双方を考慮に入れ、外観が使い古された衣服を回復、脱臭し、仕上げるシステムに対するニーズが明らかに存在する。
【０００５】
（発明の概要）
本発明は、簡単で、便利な工程を介して良好な外観を生じるため、衣服のスタイル及び素材の双方を考慮に入れ、外観が使い古された衣服を回復、脱臭し、仕上げる工程に関する。
【０００６】
本発明の第一の態様に従って、回復、脱臭及び仕上げ組成物を選択し、それで衣服を処理する方法が付与される。方法は少なくとも：
（ａ）前記衣服の衣料特性を確認する工程、
（ｂ）前記衣服の所望の仕上げを確認する工程、及び
（ｃ）前記衣服の（ａ）で確認された衣料特性及び（ｂ）で確認された仕上げに適切な少なくとも一つの回復、脱臭及び仕上げ組成物を確認する工程、
（ｄ）適切な回復、脱臭及び仕上げ組成物を選択する工程、及び
（ｅ）（ｄ）で選択された回復、脱臭及び仕上げ組成物の有効量で前記衣服を処理する工程、を含む。
【０００７】
本発明の第二の態様に従って、衣服取扱標識を付随する衣服が付与される。衣服取扱標識を付随する衣服は、柔軟仕上げ及び堅調仕上げから成る群から選択される処理のための調製において前記物品を改変することするのを助ける非言語的な視覚上の指示を含む。
【０００８】
本発明の第三の態様に従って、装置の中で衣服を回復、脱臭し、仕上げるための製造物品が付与される。物品は、
（ｆ）第一の回復、脱臭及び仕上げ組成物であって、前記第一の組成物は、
（ｉ）水及び任意で低分子量のアルコール類及び多価アルコール類、さらに好ましくはエタノール、メタノール、プロパノール及びこれらの混合物を含む担体、
（ｉｉ）悪臭を吸収する又は軽減するのに有効な量の悪臭抑制剤、及び
（ｉｉｉ）有効量の、皺減少活性物質、好ましくはカルボン酸部分を含むポリマー、（さらに好ましくはホモポリマー）を含み、
その際、前記組成物は、約３〜約７のｐＨ及び約１０ｃＰ未満の粘度を有する第一の組成物、
（ｇ）その中に第一の組成物が含有される第一の容器、
（ｈ）第二の回復、脱臭及び仕上げ組成物であって、前記第二の組成物は、
（ｉ）水及び任意で低分子量のアルコール類及び多価アルコール類、さらに好ましくはエタノール、メタノール、プロパノール及びこれらの混合物を含む担体、
（ｉｉ）悪臭を吸収する又は軽減するのに有効な量の悪臭抑制剤、及び
（ｉｖ）有効量の布地柔軟剤、を含み、その際、前記組成物は、約３〜約１１のｐＨ及び約１０ｃＰ未満の粘度を有する第二の組成物、
（ｉ）その中に第二の組成物が含有される第二の容器、
（ｊ）前記衣服の衣料特性及び所望の仕上げを確認し、次いで、前記衣服の衣料特性及び所望の仕上げに適当である前記第一の又は第二の組成物のどちらかで前記衣服を処理するための指示を含む、前記第一及び第二の容器に付随する一揃いの説明書、を含む。
【０００９】
これら及び他の態様、特徴及び利点は、以下の詳細な説明及び記載された請求項を読む事により当業者には明らかになるであろう。特に指定のない限り、本明細書での全ての割合、比率および部数は、重量による。特に指定のない限り、温度は全て摂氏（℃）による。全ての測定値は、特に指定のない限りＳＩ単位による。全ての引用文献を、関連部分において、参照として本明細書に組み込む。
【００１０】
（発明の詳細な説明）
定義
衣服−本明細書で用いられる用語、衣服は、帽子、ソックス、パンツ、スカート、キルト、手袋、コート、シャツ、下着のような衣類などの物品を意味する。例えば、綿、羊毛、絹のような天然の布地、ポリエステル、レーヨン、ダクロン（ＤＡＣＲＯＮ）のような人工の布地、ポリコットン混紡、天然の非布地物質、例えば、皮革、スエード、ゴムのような布地の混紡物、及び例えば、ＰＶＣ、合成ゴム、模造皮革、「ナーガ」の皮などのような人工の非布物質などいかなる物質からできたこれら物品も包含される。
【００１１】
回復、脱臭及び仕上げ組成物は、すぐに着用できる状態又は着用が許容できる状態に衣服を復元する組成物である。組成物は、物質に加えたとき、衣服の視覚、触覚又は挙動／反応の特性を変える仕上げ剤を同時に送達する間に、衣服の上又は中に存在するいかなる悪臭、軽い汚れ及び／又は皺を軽減する、覆い隠す、及び／又は除く。これらの組成物は本発明の背景において浸漬しない手段を介して適用される。
【００１２】
衣料特性−着用されたときの衣服の視覚及び触覚の特性に関する。これらの特性は、状況に適した着用者の個人的イメージを投影する。着用者によって伝えられるイメージは、着用される衣服の衣料特性によって変化するであろう。ある状況では、着用者は、立会人に儀礼を伝える衣料特性を持つ衣服を選択するが、別の状況では、衣料特性が、例えば、心地よい活動性及び／又は性的関心を伝える衣服を選択するであろう。
【００１３】
改変−特定の衣服の衣料特性を確認する方法である。これは、布地／素材の種類、すなわち、羊毛、綿、絹、素材の織り方の種類、編物、ヘリボン縫い、オックスフォード、ブロードクロス、及び衣服の構造に基づく。これら３つの特性を組み合わせることにより、消費者は、改変によって、いかなる衣服の衣料特性も容易に決定することができる。衣服の構造は、図１における布地地図として示されるような改変三角形において見ることができるようにさらに３つの亜クラスに分けられる。これら３つの亜クラスは、堅調、流動及び伸縮であり、下文でさらに詳細に説明する。衣服は、構造において全体として堅調、流動又は伸縮であってもよく、又は３つの組み合わせであってもよい。同様に、改変によって衣料特性がどのように確認されるかを本明細書では図を引用した後、さらに詳細に説明する。
【００１４】
堅調−改変により確認される衣料特性である。それは、それ自体の形状及び実質を有する衣服を定義する。堅調の衣服は、着用中、ドレーピング及び動きに抵抗する傾向がある。正装ビジネスシャツは、主として又は全体として堅調の衣服の良い例である。図５は典型的に堅調の衣服のアリストレーション（ａｌｌｉｓｔｒａｔｉｏｎ）を示す。「堅調」の衣服のその他の例は図１に見い出すことができる。
【００１５】
流動−改変により確認される衣料特性である。それは形状及び実質を欠く衣服を定義する。流動の衣服は容易にドレープし、動きに抵抗性ではない。カフタン風ドレス又はムームーは、主として、全体的に「流動」である衣服の良い例である。図５は典型的に流動である衣服のアリストレーション（ａｌｌｉｓｔｒａｔｉｏｎ）を示す。「流動」の衣服のその他の例は図１に見い出すことができる。
【００１６】
伸縮性−改変により確認される衣料特性である。それは身体に適合する衣服を定義する。伸縮性衣服は、消費者の身体に接触し、伸縮する。伸縮性衣服は動きのもとで伸縮し、跳ね返る。自転車用短パン、戻し運動着、タイツ、身体にぴったりした衣装及びスチラップパンツは、主として又は全体として伸縮性の衣服の良い例である。図５は典型的な伸縮性の衣服のアリストレーション（ａｌｌｉｓｔｒａｔｉｏｎ）を示す。「流動」の衣服のその他の例は図１に見い出すことができる。
【００１７】
堅調仕上げ−堅調仕上げは、身体に対する重力、動き又は配置に抵抗する定義された形状を衣服に与えるように設計された仕上げである。この仕上げは、新しくアイロンをかけたような印象を与える、男性の白い綿の正装シャツのようなビジネス関連の衣服に通常適用される。本質的に、この仕上げは定義された衣服のシルエットを付与する。
【００１８】
柔軟仕上げ−柔軟仕上げは、衣服に心地よい全体的な印象を与えて、衣服の感触的及び視覚的な審美性を強化する。ライクラ混紡又は編物のような伸縮性衣服については、柔軟な布地感触は、皮膚への布地の接触をさらに心地よくすると同様に、身体に適合する及び身体と共に動く布地の能力を強化する。それはまた、身体のシルエットを示すことを付与するのを助ける。絹のブラウス又はレーヨンの衣装のような流動型の衣服については、柔軟は布地感触は、布地のドレーピング及び皮膚の上を滑る特性を強化することができる。それはまた、定義されない身体のシルエットを付与するのを助ける。
【００１９】
この処理は、衣服の構造が定義されたシルエットを付与するが、身体接触への適合又は身体接触への布地において流動又は伸縮性の特性が所望であるスーツのような構造化された衣服にも許容可能である。
【００２０】
非言語的な視覚上の指示−衣服の衣料特性を確認するのを助ける情報である。これには、衣服の衣料特性において助ける又はそれを決定する情報を付与する言語、記号及び／又は絵が包含される。その上、情報は、衣服で使用するための回復、脱臭及び仕上げ組成物の好適性又は非好適性を視覚的に示す表示の形態であってもよい。非言語的な視覚上の指示は、タグ又はラベルとして衣服の上に存在してもよい。その上、本発明に基づいた製造物品に付随して存在する情報又は説明書は、好ましくは、衣服の衣料特性を確認することに助ける非言語的な視覚上の指示を含む。かかる非言語的な視覚上の指示が衣服の衣料特性を確認するのを助けるために衣服上に存在する非言語的な視覚上の指示を組み合わせ、さらに好ましくは衣服で使用するための回復、脱臭及び仕上げ組成物の好適性又は非好適性を確認するのを助けることがさらに好ましい。
【００２１】
有効量−用語「有効量」は、本明細書で使用するとき所望の効果を生み出すのに十分な量を意味する。例えば、回復、脱臭及び仕上げ組成物の有効量は、衣服を回復、脱臭し、仕上げるのに十分な量である。皺の抑制において、有効量とは布地の皺の見かけを取り除く又は目覚ましく減少するのに十分な量を意味する。臭気抑制において、本明細書で定義する有効量とは、感知された臭気の目覚ましい減少に効果をもつ、臭気の吸収に十分な量を意味し、この臭気の減少は好ましくは、人間の臭覚により認識できない点までである。静電気の抑制において、本明細書で定義する有効量とは、布地上の電圧及び布地同士のくっ付きを目覚ましく減少するのに十分な量を意味する。好ましくは、組成物の量は、飽和する、又は前記物品又は表面に液体のプールを創るほど多くなく、また、乾燥したとき、容易に認識できる視覚的沈着がないように多くない。
【００２２】
１．選択及び処理の方法
組成物を衣服に噴霧する場合、有効量を衣服の上に沈着すべきであり、典型的には、布地の約５重量％〜約１５０重量％、好ましくは約１０重量％〜約１００重量％、さらに好ましくは約２０重量％〜約７５重量％の組成物で衣服が濡れる、又は全体として飽和になる。布地に典型的に噴霧されるポリマーの活性物質の量は、衣服の約０．００１重量％〜約２重量％、好ましくは約０．０１重量％〜約０．５重量％、さらに好ましくは約０．０２重量％〜約０．２重量％である。
【００２３】
本発明の組成物は、回復、脱臭及び仕上げされるべき衣服を含有する家庭で皺を取るチャンバーの中で衣服に噴霧することができ、それによって操作の容易さを付与する。従来の個人的な装置並びに業務用の装置は本明細書で用いるのに好適である。伝統的にこれら装置は、繊維の弛緩を達成する蒸気工程によって作動する。次いで、装置のチャンバーに中で又は衣服をチャンバーに入れる前に衣服上への組成物の噴霧が起きることができる。噴霧手段は、好ましくは重量平均直径が約８μｍより大きく、及び好ましくは約１０μｍより大きく、及び通常は約２００μｍ未満、より好ましくは約１５０μｍ未満、更により好ましくは約１００μｍ未満、及び最も好ましくは約５０μｍ未満の液滴を付与することが可能であるべきである。好ましくは、天然及び合成繊維で作られた衣服の湿気負荷は、乾燥した布地の通常は約２重量％より高く、より好ましくは約５重量％より高く、通常は約４０重量％未満で、好ましくは約３０重量％未満であり、及びより好ましくは約２５重量％未満であり、及び最も好ましくは１０重量％未満である。皺除去装置内で行われ得る他の従来の工程、例えば加熱及び乾燥が適用され得る。好ましくは最適な回復、脱臭及び仕上げの利益に対して、このチャンバー内の温度の特徴は、約４０℃〜約８０℃、より好ましくは約５０℃〜約７０℃の範囲である。好ましい乾燥サイクルの長さは、約１５〜約６０分、より好ましくは約２０〜約４５分である。
【００２４】
組成物が噴霧の前に温度範囲約２２℃（約７２°Ｆ）〜約７６℃（約１７０°Ｆ）で保持される場合、皺除去装置内での蒸気工程は、利益を得られるがまた除外され得る。
【００２５】
衣服を処理するため、次の洗濯又は乾燥清浄サイクルが必要になる前に、時間を引き伸ばすのが必要なとき、本明細書の組成物は特に有用である。こうした衣服には、制服、及び通常は工業プロセスにおいて処理される他の衣服が挙げられ、これらは皺を回復され、脱臭され、仕上げられ、そして処理間の時間が引き伸ばされる。
【００２６】
極めて好ましい界面活性剤があると溶液が拡がるのを促進し、そして極めて好ましい抗細菌活性物質は、臭気の形成を最小限にして、改善された臭気抑制、並びに抗細菌作用を付与する。界面活性剤、及び抗細菌活性物質の両方共が改善された性能を付与し、混合物は特に良好である。これ以前に開示されたように、組成物が非常に小さい粒子の形態（液滴）で適用された場合は追加の利益が見出されるが、それは散布が更により改善され、全体の性能が高められるからである。
【００２７】
乾燥状態又は湿った状態のいずれにおいても衣服は、回復、脱臭及び仕上げ組成物で処理することができる。ある状況では衣服を、これらの衣服が乾いている間に処理することが好ましい。例えば、衣服がすでに乾燥していれば、例えば、すぐに着用する、皺の少ない乾燥した衣類に回復、脱臭及び仕上げ組成物を用いるのであれば、すでに乾燥した状態でこれらを処理することが好ましい。特に好ましい状況には、圧縮により皺の寄った乾いた衣料品又は布地が伴われるが、この圧縮には例えば、自動衣料品乾燥機による乾燥サイクルの終わりからしばらくの間、及び／又は着用条件により皺が寄った後しばらくの間、窮屈な入れ物（スーツケース、トランク）の中に保管されていたこと、窮屈な空間（衣装戸棚、収納棚）に押し込まれていたことが挙げられる。ある状況では、衣服が乾燥する前の湿った状態にある間に処理するのが好ましい。
【００２８】
乾燥した衣服が回復、脱臭及び仕上げ組成物で処理される場合、用いられるべき回復、脱臭及び仕上げ組成物の量は幾つかの要素に依存し、その要素には衣服の重量及び衣服の種類が挙げられるが、これらに限られない。衣服は幾つかの種類の皺を有することができる。一つの皺の種類はその相対的深さ、及び鋭さにより特徴付けられる。こうした皺は除去するのが困難で、より多くの回復、脱臭及び仕上げ組成物、及び除去のために使用者のより多くの労力を必要とする。衣服が、皺の除去にこうした困難さを有し、又は衣服が重い場合、回復、脱臭及び仕上げ組成物は通常、より低い濃度で、衣服の重さに対して少なくとも約０．０１倍で、好ましくは衣服の重さに対して少なくとも約０．１倍で、より好ましくは衣服の重さに対して少なくとも約０．２５倍で、及びより高い濃度では、衣服の重さに対して約２倍で、より好ましくは衣服の重さに対して約１．５倍で、更により好ましくは衣服の重さに対して約１倍で、及び最も好ましくは衣服の重さに対して約０．７５倍で適用される。
【００２９】
別の種類の皺は幅が広いこと及び深さがないことで特徴付けられ：こうした皺は多くの場合「へこみ」、「たるみ」、又は「よれ」と呼ばれる。こうした皺は多くの場合、除去するのが上記の鋭い種類の皺ほど困難ではない。衣服の重量がより軽く、又は除去するのにそれほど困難ではない皺を有する場合、回復、脱臭及び仕上げ組成物は通常、より低い濃度で、衣服の重さに対して約０．００１倍で、好ましくは衣服の重さに対して約０．０１倍で、さらに好ましくは衣服の重さに対して約０．０５倍で、一層さらに好ましくは衣服の重さに対して約０．１倍で、及び最も好ましくは衣服の重さに対して約０．２５倍で、及びより高い濃度では、衣服の重さに対して約１．５倍で、好ましくは衣服の重さに対して約１倍で、さらに好ましくは衣服の重さに対して約０．７５倍で、及び最も好ましくは衣服の重さに対して約０．５倍で適用される。染み付きの可能性を減らすために必要とされる回復、脱臭及び仕上げ組成物の総量を最小限に抑えることが常に好ましい。
【００３０】
着用している間に、又はハンガーにかけている間に、衣服の衣料特性を容易に決定することができる。衣服が伸縮性の布地であるかどうかを判定するには、ハンガーにかけている間又は着用中に、衣服の端を軽く引っ張る。衣服が容易に伸縮し、元に戻れば、そのときそれは伸縮性の布地である。主として伸縮性の衣服のための処方の好適な種類の一つは柔軟仕上げ製剤であることが適当である。そのほかの好適なものは、２イン１及び３イン１の処方である。
【００３１】
衣服が伸縮しないか、元に戻らなければ、それは流動又は堅調の布地のいずれかである。どちらかを判定するには、衣服の剛性をチェックする。流動の衣服は、動きに対して本来備わった抵抗を有さなくてよいが、堅調は身体の動きに抵抗する。流動の衣服では、微風のような軽い外力が動きを誘導する。
【００３２】
流動の衣服は身体上にゆったり垂れるが、堅調の衣服は、ゆったり垂らすことに抵抗する。
【００３３】
これら３つの試験は、性能の順を制約するのではなく、いかなる順でも行うことができる。
【００３４】
本発明の方法は、消費者に広範囲な衣服及び布地を購入する自由、例えば、購入決定の際に、皺になりやすい傾向があるため、望ましくはあるが通常避けられる衣服及び布地を購入する自由を許す。回復、脱臭及び仕上げ組成物は、これらの品を保護する状況を非実際的で、時間がかかり、且つイライラする過程から、実際的な仕事に変化させ；そのため、こうした品の処置をすることの面倒くささを最小にし、これらを所有することの喜びを最大にする。
【００３５】
本発明のなお更なる態様では、皺を除去する布地を含有した家庭用皺除去装置の手段によって、組成物を布地上に噴霧することができ、それによって操作の容易さを付与する。従来の、個人的並びに業務用皺除去装置は、本明細書に用いるのに好適である。伝統的にこれらの装置は、繊維に弛緩を付与する蒸気工程により動作する。布地への組成物又は化合物の噴霧は、次いで装置のチャンバー内で、又は布地をチャンバー内に置く前に行われる。再び、噴霧手段は好ましくは３〜５０μｍ、好ましくは自動噴霧器のための５〜３０μｍ、及び好ましくは手動で作動させる噴霧器のための５０〜１００μｍの平均直径を持つ液滴を付与することが可能であるべきである。好ましくは、天然繊維及び合成繊維からできた布地への水分負荷は、乾燥した布地の５〜２５重量％、さらに好ましくは５〜１０重量％である。皺除去装置のための他の従来の工程、例えば加熱及び乾燥が適用され得る。操作の様式の一つでは、液状コンディショニング組成物を圧力下、空気の流れと組み合わせることによって霧となり、キャビネットにおける噴霧化ノズルを通過する。好ましくは、最適な皺除去利益のために、空気の流れ及び／又はコンディショニング組成物を加熱して衣服上のコンディショニング組成物の分配及び沈着を高めることができる。その点において、空気の流れ及び／又はコンディショニング組成物の温度は室温ほど低く、好ましくは３５〜８０℃、さらに好ましくは４０〜７０℃であることができる。前述の高い温度にて空気の流れ及び／又はコンディショニング組成物を有することによって、優れた皺除去利益が達成されることが見い出されている。コンディショニング組成物の温度はおよそ室温（１５℃）〜約８０℃であることができ、より高い温度が一般に皺除去性能を改善することが理解されるべきである。乾燥サイクルの好ましい長さは２０〜６０分、さらに好ましくは３０〜４５分である。
【００３６】
柔軟剤組成物の流体表面張力を選択することによって、衣服上の有効な柔軟剤組成物の分配をたとえばキャビネット内でも強化できることも見い出されている。例えば、柔軟剤組成物は、約５ダイン／ｃｍ〜約６０ダイン／ｃｍ、さらに好ましくは約１０ダイン／ｃｍ〜約５５ダイン／ｃｍ、及び最も好ましくは、約２０ダイン／ｃｍ〜約３０ダイン／ｃｍの流体表面張力を有することが好ましい。衣服布地上で表面吸収を改善し、柔軟剤組成物を広げることによって、柔軟剤組成物は表面張力が更に低くなって、有効な分配を改善する。
【００３７】
２．組成物
本発明の方法で有用な回復、脱臭及び仕上げ組成物は、好ましくは本質的に、使用条件下にて布地を汚す又は布地にシミをつけるような物質を含まず、又は使用条件下にて受け入れ難く布地を汚す又は布地にシミをつけるレベルでかかる物質を少なくとも含有しない。本組成物は好ましくは小さな液滴として衣服に適用される。
【００３８】
以下は、本発明で有用な回復、脱臭及び仕上げ組成物の任意成分を含む好ましい成分をさらに詳細に記載する。
【００３９】
極めて好ましい成分：
担体
本発明の好ましい担体は水である。用いられる水は蒸留されていても、脱イオン化されていても、又は水道水であってもよい。水は、その低価格、有用性、安全性、及び環境的適合性のため、好ましい主な液体担体である。
【００４０】
水は布地の皺の除去及び減少に非常に有用である。水は布地を皺の状態に保つ繊維内及び繊維間水素結合の多くを破断すると考えられている。それはまた、繊維を膨らませ、滑らかにし、弛緩させ、皺を除去する工程を援助する。
【００４１】
水はまた任意のシクロデキストリンの液体担体として働き、そしてシクロデキストリン分子と布地が処理される時布地上に存在するいかなる悪臭分子との間の錯体化反応を促進する。希釈水溶液はまた、布地上のシクロデキストリン分子を最大限に分離させ、それにより臭気分子がシクロデキストリン分子と相互作用する機会を最大にする。水はそれ自体が予期しない臭気抑制効果を有することも見出されている。臭気に汚染された布地が水溶液により処理される場合、幾つかの極性の低分子量有機アミン、酸、及びメルカプタンにより生成された臭気の強度は減少することが見出されている。水はこれらの極性の低分子量有機分子を溶解させ、蒸気圧を低下させ、従ってその臭気強度を減少させると考えられている。
【００４２】
水は安価で、水素結合を破断するのに有効であり、そしてポリマーは繊維を滑らかにするのに有効であるが、特に一旦望みの滑らかさを得た場合に、その滑らかさを維持するために繊維及び衣服を定位置に保つことに有効である。本明細書に開示した回復、脱臭及び仕上げ組成物は通常、布地の特性を変えるためのある種類の機械的チャンバー（例えば、キャビネット）内における噴霧により衣服に適用される。従って、衣服のシミを防ぐには、流れではなく、霧となるか又はエアゾール化する回復、脱臭および仕上げ組成物を有することが重要である。
【００４３】
本発明の組成物中の液体担体の濃度は、組成物の通常約７０重量％より高く、好ましくは約９０重量％より高く、及びより好ましくは約９２重量％より高い。濃縮組成物が用いられる場合は、液体担体の濃度は、組成物の通常約９０重量％と等しいか又は９０重量％以下であり、好ましくは約７０重量％以下であり、より好ましくは約５０重量％以下であり、更により好ましくは濃縮組成物の約３０重量％以下である。
【００４４】
担体は、水に加えて、更に溶媒及び可塑剤を含むことができるが、可塑剤は、繊維を可塑化する水の生来の能力を援助するように作用をする。受け入れられる溶媒及び可塑剤には１〜１０の炭素を有する化合物が挙げられる。以下の非限定的クラスの化合物が好適なである：モノ−アルコール類、ジオール類、多価アルコール類、エーテル類、ケトン類、エステル類、有機酸及びアルキルグリセリルエーテル類及び炭化水素。好ましい溶媒は、水に可溶性であり、及び／又は任意の界面活性剤の存在により混和できる。幾つかの非限定的な例には、メタノール、エタノール、イソプロパノール、ヘキサノール、１，２−ヘキサンジオール、ヘキシレングリコール（例えば２−メチル−２，４−ペンタンジオール）、イソプロピレングリコール（３−メチル−１，３−ブタンジオール）、１，２−ブチレングリコール、２，３−ブチレングリコール、１，３−ブチレングリコール、１，４−ブチレングリコール、１，３−プロピレングリコール、１，２−プロピレングリコール、シクロヘキサンジメタノールの異性体、プロパンジオールの異性体、ブタンジオールの異性体、トリメチルペンタンジオールの異性体、エチルメチルペンタンジオールの異性体、２−エチル−１，３−ヘキサンジオールのアルコールエトキシレート、２，２，４−トリメチル−１，３−ペンタンジオール、２，２，４−トリメチル−１，３−ペンタンジオールグリセロールのアルコールエトキシレート、エチレングリコール、ジエチレングリコール、ジプロピレングリコール、ソルビトール、３−メチル−３−メトキシブタノール、３−メトキシブタノール、１−エトキシ−２−プロパノール、ジエチレングリコールモノエチルエーテル、ジエチレングリコールモノプロピルエーテル、ジエチレングリコールモノブチルエーテル、トリエチレングリコールモノエチルエーテル、エリスリトール及び溶媒と可塑剤の混合物が挙げられる。任意のシクロデキストリンが存在する場合は、可塑剤はそれと相容性がなければならない。溶媒の混合物もまた好適である。溶媒が用いられる場合は、組成物の通常少なくとも約０．５重量％、好ましくは少なくとも約１重量％、さらに好ましくは少なくとも約２重量％、一層さらに好ましくは少なくとも約３重量％、及び尚さらに好ましくは少なくとも約４重量％、及び通常約３０重量％未満、好ましくは約２５重量％未満、さらに好ましくは約２０重量％未満、一層さらに好ましくは約１５重量％未満の濃度で用いられる。
【００４５】
悪臭抑制剤−悪臭抑制のための組成物は、それぞれ１９９６年７月９日；１９９６年１１月２６日；１９９７年９月２日；１９９７年９月１６日；１９９７年９月２３日；及び１９９８年２月３日にトリン（Ｔｒｉｎｈ）らに発行された米国特許第５，５３４，１６５号；同第５，５７８，５６３号；同第５，６６３，１３４号；同第５，６６８，０９７号；同第５，６７０，４７５号；及び同第５，７１４，１３７号に開示されるタイプであり、該特許はすべて参考として本明細書に組み入れる。こうした組成物は、アミン臭を抑制できる上記のポリマーに加えて、幾つかの異なる任意の臭気抑制剤を含有することができる。
【００４６】
シクロデキストリン−本明細書において使用される用語「シクロデキストリン」は、６〜１２個のグルコース単位を含有する非置換型シクロデキストリン、特にα−シクロデキストリン、β−シクロデキストリン、γ−シクロデキストリン及び／又はそれらの誘導体、及び／又はこれらの混合物のような任意の既知のシクロデキストリンを包含する。α−シクロデキストリンは６個のグルコース単位からなり、β−シクロデキストリンは７個のグルコース単位からなり、γ−シクロデキストリンは８個のグルコース単位からなって、ドーナツ形状の環の中に配置された。グルコース単位の特有のカップリング及び配置により、シクロデキストリンは、内部に特有な体積の空洞のある柔軟性のない円錐状の分子構造を有する。各内部の空洞の「内張り」は水素原子及びグリコシド架橋する酸素原子によって形成され；従ってこの表面は、完全に疎水性である。空洞の独特の形状及び物理化学的特性は、シクロデキストリン分子が、空洞に取り付くことができる有機分子又は有機分子の一部を吸収すること（それとともに包接錯体を形成する）を可能にしている。多数の悪臭分子及び香料分子をふくめて、多数の臭いのある分子が空洞に取り付くことができる。従って、シクロデキストリン、特に異なった大きさの空洞を持つシクロデキストリン類の混合物は、反応性の官能基を含有していてもいなくてもよい芳しい悪臭を放つ有機物質の広域スペクトルにより生じる臭いを制御するのに用いることができる。シクロデキストリンとにおいのある分子の錯体化は水の存在下で急速に起きる。しかしながら、錯体形成の程度は、吸収される分子の極性にも依存する。水溶液中では、親水性の強い分子（非常に水溶性であるもの）はあるとしても部分的に吸収されるにすぎない。従って、一部の非常に低分子量の有機アミン及び酸が濡れた布地に低い濃度で存在する場合、シクロデキストリンはそれらとは効果的に錯体を形成しない。しかしながら、水を除いた、例えば、布地を乾かしたとき、一部の低分子量の有機アミン及び酸はより大きな親和性を有し、シクロデキストリンとより容易に錯体を作るようになる。
【００４７】
理論によって限定されることを望まないが、本発明の溶液を表面に適用した場合にシクロデキストリンが様々な匂いの分子を吸収できるように、溶液中では、シクロデキストリンの中の空洞が、溶液中で本質的には満たされていない（シクロデキストリンが錯体化されていないままである）と考えられている。誘導体化されていない（通常の）β−シクロデキストリンは、室温にて約１．８５％（１００グラムの水の中に約１．８５グラム）の溶解限度までの濃度で存在することができる。β−シクロデキストリンは、水への溶解限度より高いシクロデキストリンの濃度を要求する組成物中では好ましくない。誘導体化されていないβ−シクロデキストリンは、組成物が界面活性剤を含有する場合、一般に誘導体化されたシクロデキストリンと適合性のある好ましい界面活性剤のほとんどの表面活性に影響を及ぼすので、好ましくない。
【００４８】
好ましくは、本発明で使用されるシクロデキストリンは、α−シクロデキストリン及び／又はそれらの誘導体、γ−シクロデキストリン及び／又はそれらの誘導体、誘導体化されたβ−シクロデキストリン、並びに／又はそれらの混合物のように、水溶性が高い。シクロデキストリン誘導体は主に、ＯＨ基のいくつかがＯＲ基に変換された分子から成る。シクロデキストリン誘導体には、例えば、メチル化したシクロデキストリン及びエチル化したシクロデキストリンのような短鎖アルキル基を有するシクロデキストリンであって、その際Ｒがメチル基又はエチル基であるもの；ヒドロキシプロピルシクロデキストリン及び／又はヒドロキシエチルシクロデキストリンのようなヒドロキシアルキル置換基を持つものであって、その際、Ｒは−ＣＨ２−ＣＨ（ＯＨ）−ＣＨ３又は−ＣＨ２ＣＨ２−ＯＨ基であるもの；マルトース結合のシクロデキストリンのような分岐鎖状シクロデキストリン；２−ヒドロキシ−３−（ジメチルアミノ）プロピルエーテルを含有し、その際、ＲはｐＨの低い陽イオンであるＣＨ２−ＣＨ（ＯＨ）−ＣＨ２−Ｎ（ＣＨ３）２である陽イオンシクロデキストリン；例えば、２−ヒドロキシ−３−（トリメチルアンモニオ）プロピルエーテルクロリド基であって、その際ＲはＣＨ２−ＣＨ（ＯＨ）−ＣＨ２−Ｎ＋（ＣＨ３）３Ｃｌ−である四級アンモニウム；カルボキシメチルシクロデキストリン、シクロデキストリンサルフェート、及びシクロデキストリンスクシニレートのような陰イオンイオンシクロデキストリン；カルボキシメチル／四級アンモニウムシクロデキストリンのような両性シクロデキストリン；本明細書に参考として引用し組み入れた「シクロデキストリンの最小の化学修飾による最適な性能（Ｏｐｔｉｍａｌ Ｐｅｒｆｏｒｍａｎｃｅｓ ｗｉｔｈ Ｍｉｎｉｍａｌ ｃｈｅｍｉｃａｌ Ｍｏｄｉｆｉｃａｔｉｏｎ ｏｆ Ｃｙｃｌｏｄｅｘｔｒｉｎｓ）」、Ｆ．ダイダイニ−ピラード（Ｆ．Ｄｉｅｄａｉｎｉ−Ｐｉｌａｒｄ）及びＢ．パーリー（Ｂ．Ｐｅｒｌｙ）、第７回国際シクロデキストリンシンポジウム要項集（１９９４年４月、４９頁）に開示されたシクロデキストリンであって、その少なくとも１個のグルコピラノース単位が３−６−無水−シクロマルト構造、例えば、モノ−３−６−無水シクロデキストリンを有するシクロデキストリン；及びそれらの混合物が挙げられる。その他のシクロデキストリン誘導体は、米国特許：第３，４２６，０１１号（１９６９年２月４日発行、パーマーター（Ｐａｒｍｅｒｔｅｒ）ら）；同第３，４５３，２５７号；同第３，４５３，２５８号；同第３，４５３，２５９号；及び同第３，４５３，２６０号（すべてパーマーター（Ｐａｒｍｅｒｔｅｒ）らの名のもとに１９６９年７月１日発行）；同第３，４５９，７３１号（１９６９年８月５日、グラメラ（Ｇｒａｍｅｒａ）ら）；同第３，５５３，１９１号（１９７１年１月５日発行、パーマーター（Ｐａｒｍｅｒｔｅｒ）ら）；同第３，５６５，８８７号（１９７１年２月２３日発行、パーマーター（Ｐａｒｍｅｒｔｅｒ）ら）；同第４，５３５，１５２号（１９８５年８月１３日発行、セジツリ（Ｓｚｅｊｔｌｉ）ら；同第４，６１６，００８号（１９８６年１０月７日発行、ヒライ（Ｈｉ��ａｉ）ら）；同第４，６７８，５９８号（１９８７年７月７日発行、オギノ（Ｏｇｉｎｏ）ら）；同第４，６３８，０５８号（１９８７年１月２０日発行、ブラント（Ｂｒａｎｄｔ）ら）；及び同第４，７４６，７３４号（１９８８年５月２４日発行、ツチヤマ（Ｔｓｕｃｈｉｙａｍａ）ら）に開示されており；該特許はすべて参考として本明細書に組み入れる。
【００４９】
水溶性の高いシクロデキストリンとは、水溶解度が室温で１００ｍｌ中の水に少なくとも約１０ｇ、好ましくは１００ｍｌ中の水に少なくとも約２０ｇ、更に好ましくは室温で１００ｍｌ中の水に少なくとも約２５ｇであるシクロデキストリンである。可溶化された、水溶性シクロデキストリンは、面、特に布地に沈着されると非水溶性シクロデキストリンよりもより効率的な臭気抑制性能を示すことができる。
【００５０】
本明細書での使用に好適な好ましい水溶性シクロデキストリン誘導体の例は、ヒドロキシプロピルα−シクロデキストリン、メチル化α−シクロデキストリン、メチル化β−シクロデキストリン、ヒドロキシエチルβ−シクロデキストリン、及びヒドロキシプロピルβ−シクロデキストリンである。ヒドロキシアルキルシクロデキストリン誘導体は好ましくは約１〜約１４、さらに好ましくは約１．５〜約７の置換度を有し、その際、シクロデキストリン当りのＯＲ基の総数が、置換度として定義される。メチル化シクロデキストリン誘導体は、通常、約１〜約１８、好ましくは約３〜約１６の置換度を有する。既知のメチル化β−シクロデキストリンは、一般にＤＩＭＥＢとして知られるヘプタキス−２，６−ジ−Ｏ−メチル−β−シクロデキストリンであり、それぞれのグルコース単位が置換度約１４の約２つのメチル基を有する。好ましい、さらに市販のメチル化β−シクロデキストリンは、一般にＲＡＭＥＢとして知られるランダムにメチル化されたβ−シクロデキストリンであり、普通約１２．６の異なった置換度を有する。ＤＩＭＥＢは、好ましい界面活性剤の界面活性にＲＡＭＥＢよりも影響を与えるので、ＤＩＭＥＢよりもＲＡＭＥＢの方が好ましい。好ましいシクロデキストリンは、例えば、セレスター（Ｃｅｒｅｓｔａｒ）ＵＳＡ社及びワッカーケミカルズ（Ｗａｃｋｅｒ Ｃｈｅｍｉｃａｌｓ）社（米国）から入手可能である。
【００５１】
更にシクロデキストリンの混合物を使用することも好ましい。かかる混合物は、さらに幅広い範囲の分子サイズを有するさらに幅広い範囲の、臭気を放つ芳しい分子と錯体化することによってさらに幅広く臭気を吸収する。好ましくは、シクロデキストリンの少なくとも一部分は、α−シクロデキストリン及びその誘導体、γ−シクロデキストリン及びその誘導体、及び／又は誘導体化されたβ−シクロデキストリンであり、さらに好ましくは、α−シクロデキストリン、又はα−シクロデキストリン誘導体と誘導体化されたβ−シクロデキストリンの混合物であり、一層さらに好ましくは、誘導体化されたα−シクロデキストリンと誘導体化されたβ−シクロデキストリンの混合物であり、最も好ましくは、ヒドロキシプロピルα−シクロデキストリンとヒドロキシプロピルβ−シクロデキストリンの混合物、及び／又はメチル化α−シクロデキストリンとメチル化β−シクロデキストリンの混合物である。
【００５２】
使用条件のもとで表面を処理するために用いられる溶液は、乾燥した場合に視覚的に識別できないのが好ましい。使用条件における使用組成物中のシクロデキストリンの典型的濃度は、存在する場合、組成物の約０．０１重量％〜約５重量％、好ましくは約０．１重量％〜約４重量％、さらに好ましくは約０．５重量％〜約２重量％である。より高度に濃縮された組成物は、溶液が布地から蒸発すると、受け入れられない明確な染みを布地上に残す可能性がある。これは特に、薄い、色のついた、合成の布地の場合には問題である。布地に染みが付くのを、抑制又は最小にするために、布地は、布地のグラム当り約５ｍｇ未満のシクロデキストリンの濃度で、さらに好ましくは布地のグラム当り約２ｍｇ未満のシクロデキストリンの濃度で処理するのが好ましい。界面活性剤が存在すると、染みが局所的に付くのを最小にするため、見かけを改善することができる。
【００５３】
シクロデキストリンを濃縮組成物中に混和したい場合には、シクロデキストリンの濃度は濃縮組成物の通常約３重量％〜約２０重量％、さらに好ましくは約５重量％〜約１０重量％であり、染みが付くのを避けるために布地を処理する前に、濃縮組成物を希釈することが好ましい。得られる希釈組成物は、前述のようにシクロデキストリンの使用濃度が、希釈組成物の例えば約０．１重量％〜約５重量％である。
【００５４】
界面活性剤
界面活性剤は低い表面張力を付与し、それにより、組成物は容易に且つより均一に疎水性表面に広がる。かかる界面活性剤を含まない水溶液は満足の行くようには広がらないことが判っている。組成物が拡がると、組成物の乾燥も速まり、その結果処理材料材はより速く使用できるようになる。その上、界面活性剤を含有する組成物は、悪臭抑制の改善にさらに好ましく、疎水性の、油性の汚れに浸透する。シクロデキストリン−相容性の界面活性剤を含有する組成物はまた、「着用中」の改善された静電気抑制も付与する。濃縮組成物においては、界面活性剤は多くの活性物質、例えば抗細菌活性物質、及び香料が濃縮水溶性組成物中に散布するのを促進する。
【００５５】
界面活性剤はまた、シリコーン及び／又は形状保持ポリマーのような皺抑制剤を含有する本発明の組成物に必要である。かかる作用剤については、界面活性剤はまた、例えば、分散剤、乳化剤及び／又は可溶化剤として必要である。
【００５６】
本発明の組成物において必要とされる低い表面張力を付与するのに用いるための界面活性剤は、シクロデキストリン−相容性であるべきであり、シクロデキストリン及び／又は界面活性剤の性能を低下するようにシクロデキストリンと錯体を実質的に形成すべきではない。錯体形成は、臭いを吸収するシクロデキストリンの能力及び水性組成物の表面張力を低下させる界面活性剤の能力の双方を低下させる。
【００５７】
好適な界面活性剤、特にシクロデキストリン−相容性の界面活性剤は、界面活性剤により付与される表面張力にシクロデキストリンの影響がないことによって容易に確認することができる。これは、溶液における約１％の具体的なシクロデキストリンの存在下及び非存在下、界面活性剤の水溶液の表面張力（ダイン／ｃｍ２）を測定することによって達成される。水溶液は、およそ０．５％、０．１％、０．０１％及び０．００５％の濃度にて界面活性剤を含有する。シクロデキストリンは、界面活性剤溶液の表面張力を高めることにより界面活性剤の界面活性に影響を及ぼすことができる。水中で所定の濃度での表面張力は、１％のシクロデキストリン溶液中の同じ界面活性剤の表面張力に比べて約１０％より大きい場合、界面活性剤とシクロデキストリンとの間に強い相互作用があることを示している。本明細書の好ましい界面活性剤は、水溶液中において、１％のシクロデキストリンを含有する同じ濃度の溶液に比べて約１０％未満、好ましくは約５％未満、より好ましくは約１％未満で異なる（低い）表面張力を有する。
【００５８】
シクロデキストリンと相溶性の非イオン界面活性剤の非限定例としては、エチレンオキシド及びプロピレンオキシドのブロックコポリマーが挙げられる。ほとんどのシクロデキストリンと相溶性のある、適切なブロックポリオキシエチレン−ポリオキシプロピレンポリマーの界面活性剤には、初期反応性水素化合物として、エチレングリコール、プロピレングリコール、グリセロール、トリメチロールプロパン及びエチレンジアミンをベースとするものが含まれる。Ｃ１２〜１８脂肪族アルコールのような、単一の反応性の水素原子を有する初期化合物の一連のエトキシル化及びプロポキシル化から作られた高分子化合物は、一般にシクロデキストリンと相溶性ではない。ＢＡＳＦ−ワイアンドット社（ＢＡＳＦ−Ｗｙａｎｄｏｔｔｅ Ｃｏｒｐ．）（ミシガン州ワイアンドット）のプルロニック（登録商標）及びテトロニック（Ｔｅｔｒｏｎｉｃ）（登録商標）と称する特定のブロックポリマー界面活性剤化合物は容易に入手できる。
【００５９】
このタイプのシクロデキストリン−相容性の界面活性剤の非限定例には：
プルロニック界面活性剤が挙げられ、それは一般式Ｈ（ＥＯ）ｎ（ＰＯ）ｍ（ＥＯ）ｎＨを持ち、
式中、ＥＯはエチレンオキシド基であり、ＰＯはプロピレンオキシド基であり、ｎ及びｍは界面活性剤における基の平均数を示す数である。シクロデキストリンと相溶性のプルロニック界面活性剤の代表的な例は、以下のものである：
【表１】
2004506820.tif 000003
及びこれらの混合物。
【００６０】
以下の一般式を有するテトロニック界面活性剤：
【化１】
2004506820.tif 000004
式中、ＥＯ、ＰＯ、ｎ及びｍは上記と同様の意味を有する。シクロデキストリンと相溶性のテトロニック界面活性剤の代表的な例は、以下のもの：
【表２】
2004506820.tif 000005
及びこれらの混合物。
【００６１】
「リバース（Ｒｅｖｅｒｓｅ）」プルロニック及びテトロニック界面活性剤は、以下の一般式を有する：
リバースプルロニック界面活性剤Ｈ（ＰＯ）ｍ（ＥＯ）ｎ（ＰＯ）ｍＨ
リバーステトロニック界面活性剤
【化２】
2004506820.tif 000006
式中、ＥＯ、ＰＯ、ｎ及びｍは上記と同様の意味を有する。シクロデキストリンと相溶性のリバースプルロニック及びリバーステトロニック界面活性剤の代表的な例は、以下のものである：
【表３】
2004506820.tif 000007
【表４】
2004506820.tif 000008
及びこれらの混合物。
【００６２】
好ましい種類のシクロデキストリンと相溶性の非イオン界面活性剤は、ジメチルポリシロキサン疎水部分及び一つ又はそれより多い親水性ポリアルキレン側鎖を有するポリアルキレンオキシドポリシロキサンであり、次の一般式を有する：
Ｒ１−（ＣＨ３）２ＳｉＯ−［（ＣＨ３）２ＳｉＯ］ａ−［（ＣＨ３）（Ｒ１）ＳｉＯ］ｂ−Ｓｉ（ＣＨ３）２−Ｒ１
式中、ａ＋ｂは約１〜約５０、好ましくは約３〜約３０、更に好ましくは約１０〜約２５であり、各Ｒ１は同一であるか又は異なり、メチル及び次の一般式を有するポリ（エチレンオキシド／プロピレンオキシド）コポリマー基から成る群より選択され、
−（ＣＨ２）ｎＯ（Ｃ２Ｈ４Ｏ）ｃ（Ｃ３Ｈ６Ｏ）ｄＲ２
少なくとも１個のＲ１はポリ（エチレンオキシド／プロピレンオキシド）コポリマー基であり、その際、ｎは３又は４、好ましくは３であり；（全てのポリアルキレンオキシ側基の）ｃの合計は１〜約１００、好ましくは約６〜約１００の値を有し；ｄの合計は０〜約１４、好ましくは０〜約３であり；更に好ましくはｄは０であり；ｃ＋ｄの合計の値は約５〜約１５０、好ましくは約９〜約１００の値を有し、各Ｒ２は同一であるか又は異なり、水素、１〜４個の炭素原子を有するアルキル基、及びアセチル基、好ましくは水素及びメチル基から成る群より選択される。各ポリアルキレンオキシドポリシロキサンは、ポリ（エチレンオキシド／プロピレンオキシド）コポリマー基である少なくとも１個のＲ１基を有する。
【００６３】
この種類の界面活性剤の非限定的な実施例は、ＯＳｉスペシャルティ（ＯＳｉ Ｓｐｅｃｉａｌｔｉｅｓ、Ｉｎｃ．）（コネティカット州ダンベリー）から市販されるシルウェット（Ｓｉｌｗｅｔ）（登録商標）界面活性剤である。典型的なシルウェット（Ｓｉｌｗｅｔ）界面活性剤は次のとおりである。
【００６４】
【表５】
2004506820.tif 000009
ポリアルキレンオキシ基（Ｒ１）の分子量は、約１０，０００未満か又は同じである。好ましくは、ポリアルキレンオキシ基の分子量は約８，０００未満か又は同じであり、及び最も好ましくは約３００〜約５，０００の範囲である。従って、ｃ及びｄの値は、これらの範囲内で分子量を付与する数であることができる。しかしながら、ポリエーテル鎖（Ｒ１）中のエチレンオキシ単位（−Ｃ２Ｈ４Ｏ）の数は、ポリアルキレンオキシドポリシロキサンを水分散性又は水溶性にするのに十分な値でなければならない。−ポリアルキレンオキシ鎖にプロピレンオキシ基が存在するとき、それらは鎖中にランダムに分布するか、又はブロックとして存在し得る。好ましいシルウェット（Ｓｉｌｗｅｔ）界面活性剤は、Ｌ−７６００、Ｌ−７６０２、Ｌ−７６０４、Ｌ−７６０５、Ｌ−７６２２、Ｌ−７６５７、及びそれらの混合物である。界面活性のほかに、ポリアルキレンオキシドポリシロキサン界面活性剤は、静電気抑制の利益、布地への潤滑性及び柔らかさのようなその他の利益も付与することができる。
【００６５】
ポリアルキレンオキシドポリシロキサンの調製は当該技術分野において周知である。本発明のポリアルキレンオキシドポリシロキサンは、参考として本明細書に組み入れられる米国特許第３，２９９，１１２号に述べられている手順に従って調製することができる。通常は、本発明の界面活性剤の混合であるポリアルキレンオキシドポリシロキサンは、ヒドロシロキサン（即ちシリコーン−水素結合を含有するシロキサン）と、アルコキシ又はヒドロキシで末端部がブロックされたポリアルキレンオキシドのアルケニルエーテル（例えばビニル、アリル、又はメタリールエーテル（ｍｅｔｈａｌｌｙｌｅｔｈｅｒ））との間の付加反応により容易に調製される。この種の付加反応に用いられる反応条件は当該技術で周知であり、一般に、白金触媒（例えば、塩化白金酸）及び溶媒（例えば、トルエン）の存在下、反応物質（例えば、約８５℃〜１１０℃の温度にて）を加熱することが含まれる。
【００６６】
シクロデキストリンと相溶性の陰イオン界面活性剤の非限定例は、アルキルジフェニルオキシドジスルホネートであり、以下の一般式を有する：
【化３】
2004506820.tif 000010
式中、Ｒはアルキル基である。このタイプの界面活性剤の例は、ダウケミカルカンパニーから商品名ダウファックス（Ｄｏｗｆａｘ）（登録商標）として入手でき、これはＲが直鎖状又は分岐状Ｃ６〜Ｃ１６アルキル基である。これらのシクロデキストリンと相溶性の陰イオン界面活性剤の例は、Ｒがおよそ直鎖状のＣ１０基であるダウファックス３Ｂ２である。界面活性剤と活性物質の双方の効果が低下するので、好ましくはこれらの陰イオン界面活性剤は、抗菌活性物質又は防腐剤等が陽イオン活性物質との相互作用を最小にするような陽イオン性である場合には使用されない。
【００６７】
好適な界面活性剤のもう一つの種類はフルオロカーボン界面活性剤である。フルオロカーボン界面活性剤は界面活性剤の部類であり、これは両親媒性化合物の疎水性の部分が、炭素ベースの線状又は環状部分のいくぶんかを、少なくとも部分的に含み、この線状又は環状部分は、炭素に結合するフッ素を含んでおり、そこでは、通常、水素は親水性先端基と共に炭素に結合するであろう。幾つかの典型的な非制限的フルオロカーボン界面活性剤には、イオン界面活性剤と同様にフッ素化アルキルポリオキシアルキレン及びフッ素化アルキルエステルが挙げられる。このような化合物の代表的構造は以下に与えられる：
（１）ＲｆＲ（Ｒ１Ｏ）ｘＲ２
（２）ＲｆＲ−ＯＣ（Ｏ）Ｒ３
（３）ＲｆＲ−Ｙ−Ｚ
（４）ＲｆＲＺ
式中、Ｒｆは、約６〜約１８個の炭素を含有し、それぞれ約０〜約３個のフッ素が付加している。Ｒはアルキル又はアルキレンオキシド基のいずれかであり、これらは存在する場合約１〜約１０の炭素を有し、及びＲ１はアルキレン基で約１〜約４の炭素を有し、Ｒ２は、水素又は小さいアルキルのキャップ基で、約１〜約３の炭素を有する。Ｒ３は、エステル基上の炭素を包含して約２〜約２２から成る炭化水素部分を表す。この炭化水素は直鎖、分岐鎖、又は環状、飽和又は不飽和であることができ、酸素、窒素及びイオウにベースの部分を含み、エーテル、アルコール、エステル、カルボキシレート、アミド、アミン、チオエステル及びチオールが挙げられるが、それらに限定されず；これらの酸素、窒素及びイオウ部分は、炭化水素鎖の中に割り込むか、又は炭化水素鎖にぶら下がるかのいずれかであることができる。構造３において、Ｙは炭化水素基を表し、アルキル、ピリジン基、アミドプロピルなどであることができ、フッ素化された鎖と親水性先端基との間の結合基として作用する。構造３及び４において、Ｚは陽イオン性、陰イオン性及び両性の親水性の先端基を表し、それにはカルボキシレート、スルフェート、スルホネート、第四級アンモニウム基及びベタインが挙げられるが、これらに限定されない。これらの構造の非制限的な市販の例には、デュポン（ＤｕＰｏｎｔ）によるゾニル（Ｚｏｎｙｌ（登録商標））９０７５、ＦＳＯ，ＦＳＮ、ＦＳ−３００、ＦＳ−３１０、ＦＳＮ−１００、ＦＳＯ−１００、ＦＴＳ、ＴＢＣ、及びミネソタ州、セントポール（Ｓｔ．Ｐａｕｌ）のスリーエム（３Ｍ（登録商標））社によるフルオラド（Ｆｌｕｏｒａｄ（商標））界面活性剤ＦＣ−４３０、ＦＣ−４３１、ＦＣ−７４０、ＦＣ−９９、ＦＣ−１２０、ＦＣ−７５４、ＦＣ−１７０Ｃ、及びＦＣ−１７１が挙げられる。
【００６８】
上記の界面活性剤は、シクロデキストリンと弱い相互作用をするか（表面張力の５％未満の増加）、相互作用しない（表面張力の１％未満の増加）。ドデシル硫酸ナトリウム及びドデカノールポリ（６）エトキシレートのような普通の界面活性剤は、ヒドロキシプロピルβ−シクロデキストリン及びメチル化β−シクロデキストリンのような代表的なシクロデキストリンの存在下で表面張力の上昇が１０％を超えるような強い相互作用を示す。
【００６９】
使用組成物中の界面活性剤の代表的な濃度は、組成物の約０．０１重量％〜約２重量％、好ましくは約０．０３重量％〜約０．６重量％、より好ましくは約０．０５重量％〜約０．３重量％である。濃縮組成物中の界面活性剤の代表的な濃度は、濃縮組成物の約０．１重量％〜約８重量％、好ましくは約０．２重量％〜約４重量％、より好ましくは約０．３重量％〜約３重量％である。皺抑制剤を含有する組成物については、使用組成物における界面活性剤の典型的なレベルは、組成物の約０．０５重量％〜約５重量％、好ましくは約０．１重量％〜約３重量％、さらに好ましくは約０．２重量％〜約１．５重量％である。
【００７０】
抗菌活性物質
可溶化する水溶性抗菌活性物質は、Ｃ．、処理材料に付着する有機物に対して保護を付与するのに有用である。好ましくは、抗菌剤は、シクロデキストリンと相溶性であるべきであり、例えば、臭い吸収組成物でシクロデキストリンと錯体を実質的に形成しない。遊離の、非複合型の抗菌（例えば、抗細菌）活性物質は最適な抗細菌性能を付与する。
【００７１】
抗菌物質、例えば、抗菌ハロゲン化合物及び第四級化合物及びフェノール性化合物を含有する本発明の組成物により、衝撃布地の清浄作用は達成され得る。
【００７２】
ビグアニド本発明の組成物に有用で、最終製品の防腐剤（下記参照）とともに殺菌剤／消毒剤として機能し得るより強力なシクロデキストリンと相溶性の抗菌性ハロゲン化化合物としては、１，１’−ヘキサメチレンビス（５−（ｐ−クロロフェニル）ビグアニド）が挙げられ、クロルヘキジン、及び例えば、塩酸、酢酸及びグルコン酸とその塩として一般に周知である。ジグルコン酸塩は高い水溶性、すなわち水に対し約７０％の溶解度を示し、二酢酸塩は水に対し約１．８％の溶解度を示す。クロルヘキシジンを本発明の清浄剤として使用するとき、典型的には使用組成物の約０．００１重量％〜約０．４重量％、好ましくは約０．００２重量％〜約０．３重量％、及び更に好ましくは約０．０５重量％〜約０．２重量％の濃度で存在する。場合によっては、殺ウイルス活性には約１〜約２％の濃度が必要であり得る。
【００７３】
その他の有用なビグアニド化合物には、ポリ（ヘキサメチレンビグアニド）塩酸塩を含めた、コスモシ（Ｃｏｓｍｏｃｉ）（登録商標）ＣＱ（登録商標）、バントシル（Ｖａｎｔｏｃｉｌ）（登録商標）ＩＢが挙げられる。その他の有効な陽イオン性抗菌剤にはビス−ビグアニドアルカンが包含される。上記の使用可能な水溶性塩は塩化物、臭化物、サルフェート、メチルスルホネート及びエチルスルホネートのようなアルキルスルホネート、ｐ−メチルフェニルスルホネ−トのようなフェニルスルホネート、ナイトレート、アセテート、グルコナートなどである。
【００７４】
適切なビスビグアニド化合物の例は、クロルヘキシジン；１，６−ビス−２−エチルヘキシルビグアニドヘキサン）ジヒドロクロリド；１，６−ジ−（Ｎ１，Ｎ１’−フェニルジグアニド−Ｎ５，Ｎ５’）−ヘキサンテトラヒドロクロリド；１，６−ジ−Ｎ１，Ｎ１’−フェニル−Ｎ１，Ｎ１’−メチルジグアニド−Ｎ５，Ｎ５’）−ヘキサンジヒドロクロリド；１，６−ジ（Ｎ１，Ｎ１’−ｏ−クロロフェニルジグアニド−Ｎ５，Ｎ５’）−ヘキサンジヒドロクロリド；１，６−ジ（Ｎ１，Ｎ１’−２，６−ジクロロフェニルジグアニド−Ｎ５，Ｎ５’）ヘキサンジヒドロクロリド；１，６−ジ［Ｎ１，Ｎ１’−β−（ｐ−メトキシフェニル）ジグアニド−Ｎ５，Ｎ５’］−ヘキサンジヒドロクロリド；１，６−ジ（Ｎ１，Ｎ１’−α−メチル−β−フェニルジグアニド−Ｎ５，Ｎ５’）−ヘキサンジヒドロクロリド；１，６−ジ（Ｎ１，Ｎ１’−ｐ−ニトロフェニルジグアニド−Ｎ５，Ｎ５’）ヘキサンジヒドロクロリド；ω，ω’−ジ−（Ｎ１，Ｎ１’−フェニルジグアニド−Ｎ５，Ｎ５’）−ジ−ｎ−プロピルエーテルジヒドロクロリド；ω，ω’−ジ（Ｎ１，Ｎ１’−ｐ−クロロフェニルジグアニド−Ｎ５，Ｎ５’）−ジ−ｎ−プロピルエーテルテトラヒドロクロリド；１，６−ジ（Ｎ１，Ｎ１’−２，４−ジクロロフェニルジグアニド−Ｎ５，Ｎ５’）ヘキサンテトラヒドロクロリド；１，６−ジ（Ｎ１，Ｎ１’−ｐ−メチルフェニルジグアニド−Ｎ５，Ｎ５’）ヘキサンジヒドロクロリド；１，６−ジ（Ｎ１，Ｎ１’−２，４，５−トリクロロフェニルジグアニド−Ｎ５，Ｎ５’）ヘキサンテトラヒドロクロリド；１，６−ジ［Ｎ１，Ｎ１’−α−（ｐ−クロロフェニル）エチルジグアニド−Ｎ５，Ｎ５’］ヘキサンジヒドロクロリド；ω，ω’−ジ（Ｎ１，Ｎ１’−ｐ−クロロフェニルジグアニド−Ｎ５，Ｎ５’）ｍ−キシレンジヒドロクロリド；１，１２−ジ（Ｎ１，Ｎ１’−ｐ−クロロフェニルジグアニド−Ｎ５，Ｎ５’）ドデカンジヒドロクロリリド；１，１０−ジ（Ｎ１，Ｎ１’−フェニルジグアニド−Ｎ５，Ｎ５’）−デカンテトラヒドロクロリド；１，１２−ジ（Ｎ１，Ｎ１’−フェニルジグアニド−Ｎ５，Ｎ５’）ドデカンテトラヒドロクロリド；１，６−ジ（Ｎ１，Ｎ１’−ｏ−クロロフェニルジグアニド−Ｎ５，Ｎ５’）ヘキサンジヒドロクロリド；１，６−ジ（Ｎ１，Ｎ１’−ｐ−クロロフェニルジグアニド−Ｎ５，Ｎ５’）−ヘキサンテトラヒドロクロリド；エチレンビス（１−トリルビグアニド）；エチレンビス（ｐ−トリルビグアニド）；エチレンビス（３，５−ジメチルフェニルビグアニド）；エチレンビス（ｐ−三級−アミルフェニルビグアニド）；エチレンビス（ノニルフェニルビグアニド）；エチレンビス（フェニルビグアニド）；エチレンビス（Ｎ−ブチルフェニルビグアニド）；エチレンビス（２，５−ジエトキシフェニルビグアニド）；エチレンビス（２，４−ジメチルフェニルビグアニド）；エチレンビス（ｏ−ジフェニルビグアニド）；エチレンビス（混合アミルナフチルビグアニド）；Ｎ−ブチルエチレンビス（フェニルビグアニド）；トリメチレンビス（ｏ−トリルビグアニド）；Ｎ−ブチルトリメチレンビス（フェニルビグアニド）；及び対応するこれら全ての製薬上���容できる塩、例えば、アセテート；グルコネート；ヒドロクロリド；ヒドロブロミド；シトレート；ビスルファイト；フルオライド；ポリマレエート；Ｎ−ココナッツアルキルサルコシネート；ホスファイト；ハイポホスファイト；パーフルオロオクタノエート；シリケート；ソルベート；サリチレート；マレエート；タートレート；フマレート；エチレンジアミンテトラアセテート；イミノジアセテート；シンナメート；チオシアネート；アラギネート；ピロメリテート；テトラカルボキシブチレート；ベンゾエート；グルタレート；モノフルオロホスフェート；及びパーフルオロプロピオネート及びこれらの混合物である。この群の好ましい抗菌物質は、１，６−ジ−（Ｎ１，Ｎ１’−フェニルジグアニド−Ｎ５，Ｎ５’）−ヘキサンテトラヒドロクロリド；１，６−ジ（Ｎ１，Ｎ１’−ｏ−クロロフェニルジグアニド−Ｎ５，Ｎ５’）−ヘキサンジヒドロクロリド；１，６−ジ（Ｎ１，Ｎ１’−２，６−ジクロロフェニルジグアニド−Ｎ５，Ｎ５’）ヘキサンジヒドロクロリド；１，６−ジ（Ｎ１，Ｎ１’−２，４−ジクロロフェニルジグアニド−Ｎ５，Ｎ５’）ヘキサンテトラヒドロクロリド；１，６−ジ［Ｎ１，Ｎ１’−．α．−（ｐ−クロロフェニル）エチルジグアニド−Ｎ５，Ｎ５’］ヘキサンジヒドロクロリド；．ω．：．ω．’ジ（Ｎ１，Ｎ１’−ｐ−クロロフェニルジグアニド−Ｎ５，Ｎ５’）ｍ−キシレンジヒドロクロリド；１，１２−ジ（Ｎ１，Ｎ１’−ｐ−クロロフェニルジグアニド−Ｎ５，Ｎ５’）ドデカンジヒドロクロリド；１，６−ジ（Ｎ１，Ｎ１’−ｏ−クロロフェニルジグアニド−Ｎ５，Ｎ５’）ヘキサンジヒドロクロリド；１，６−ジ（Ｎ１，Ｎ１’−ｐ−クロロフェニルジグアニド−Ｎ５，Ｎ５’）−ヘキサンテトラヒドロクロリド；及びそれらの混合物であり；さらに好ましくは、１，６−ジ（Ｎ１，Ｎ１’−ｏ−クロロフェニルジグアニド−Ｎ５，Ｎ５’）−ヘキサンジヒドロクロリド；１，６−ジ（Ｎ１，Ｎ１’−２，６−ジクロロフェニルジグアニド−Ｎ５，Ｎ５’）ヘキサンジヒドロクロリド；１，６−ジ（Ｎ１，Ｎ１’−２，４−ジクロロフェニルジグアニド−Ｎ５，Ｎ５’）ヘキサンテトラヒドロクロリド；１，６−ジ［Ｎ１，Ｎ１’−．α．−（ｐ−クロロフェニル）エチルジグアニド−Ｎ５，Ｎ５’］ヘキサンジヒドロクロリド；．ω．：．ω．’ジ（Ｎ１，Ｎ１’−ｐ−クロロフェニルジグアニド−Ｎ５，Ｎ５’）ｍ−キシレンジヒドロクロリド；１，１２−ジ（Ｎ１，Ｎ１’−ｐ−クロロフェニルジグアニド−Ｎ５，Ｎ５’）ドデカンジヒドロクロリド；１，６−ジ（Ｎ１，Ｎ１’−ｏ−クロロフェニルジグアニド−Ｎ５，Ｎ５’）ヘキサンジヒドロクロリド；１，６−ジ（Ｎ１，Ｎ１’−ｐ−クロロフェニルジグアニド−Ｎ５，Ｎ５’）−ヘキサンテトラヒドロクロリド；及びそれらの混合物である。上述したように、優れたビスビグアニドは、クロルヘキシジンの塩、例えばジグルコネート、ジヒドロクロリド、ジアセテート及びこれらの混合物である。
【００７５】
第四級化合物広い範囲の四級化合物を抗菌剤活性物質として使用できる。有用な第四級化合物の非限定例には、（１）市販されるバクワット（Ｂａｑｕａｔ）（登録商標）（ロンザ（Ｌｏｎｚａ）より市販）、マクワット（Ｍａｑｕａｔ）（登録商標）（メーソン（Ｍａｓｏｎ）より市販）、ヴァリクワット（Ｖａｒｉｑｕａｔ）（登録商標）（ウィトコ／シェレックス（Ｗｉｔｃｏ／Ｓｈｅｒｅｘ）より市販）、及びハイアミン（Ｈｙａｍｉｎｅ）（登録商標）（ロンザ（Ｌｏｎｚａ）より市販）のような塩化ベンザルコニウム及び／又は置換塩化ベンザルコニウム；（２）バーダック（Ｂａｒｄａｃ）（登録商標）（ロンザ（Ｌｏｎｚａ）製品）のようなジ（Ｃ６〜Ｃ１４）アルキルジ短鎖（Ｃ１〜４アルキル及び／又はヒドロキシアルキル）四級化合物、（３）ダウ社より市販されるダウィサイド（Ｄｏｗｉｃｉｄｅ）（登録商標）及びダウィシル（Ｄｏｗｉｃｉｌ）（登録商標）のようなＮ−（３−クロロアリル）ヘキサミニウムクロリド；（４）ローム＆ハース（Ｒｏｈｍ ＆ Ｈａａｓ）より市販されるハイアミン（Ｈｙａｍｉｎｅ）（登録商標）１６２２のような塩化ベンゼトニウム；（５）ローム＆ハース（Ｒｏｈｍ ＆ Ｈａａｓ）より供給されるハイアミン（Ｈｙａｍｉｎｅ）（登録商標）１０Ｘに代表される塩化メチルベンゼトニウム、（６）メレルラブズ（Ｍｅｒｒｅｌｌ Ｌａｂｓ）より市販されるセパコールクロリドのような塩化セチルピリジニウムが挙げられる。好ましいジアルキル四級化合物の例は、ジデシルジメチルアンモニウムクロリド（Ｂａｒｄａｃ ２２）、及びジオクチルジメチルアンモニウムクロリド（バーダック（Ｂａｒｄａｃ）２０５０）のようなジ（Ｃ８〜Ｃ１２）ジアルキルジメチルアンモニウムクロリドである。これらの第四級化合物が殺菌効果を示す典型的な濃度は、使用される組成物の約０．００１重量％〜約０．８重量％、好ましくは約０．００５重量％〜約０．３重量％、更に好ましくは約０．０１重量％〜約０．２重量％、及び更に一層好ましくは約０．０３重量％〜約０．１重量％の範囲である。濃縮組成物のための対応する濃度は、濃縮組成物の約０．００３重量％〜約２重量％、好ましくは約０．００６重量％〜約１．２重量％、より好ましくは約０．１重量％〜約０．８重量％である。
【００７６】
抗菌剤に添加する場合、界面活性剤は改良された抗菌作用を付与する傾向がある。シロキサン界面活性剤の場合、特にシロキサン界面活性剤がクロルヘキシディン抗菌活性物質と組み合わせられる場合にその傾向が強い。
【００７７】
香料
本発明の臭気吸収組成物はまた、布地からの悪臭の除去を示す「香りのシグナル」を、心地よい匂いの形態で任意に付与することができる。香りのシグナルは迅速な香料の香りを付与するように設計され、制圧され、臭気遮蔽成分として使用されるのを設計していない。香料を香りのシグナルとして加えるときは、きわめて低濃度、例えば使用組成物の約０重量％〜約０．５重量％の、好ましくは約０．００３重量％〜約０．３重量％の、さらに好ましくは約０．００５重量％〜約０．２重量％の濃度で添加される。
【００７８】
香料はまた、さらに強い匂いとして製品及び表面に添加され得る。香料の強めの度合いが好ましい場合は、比較的高濃度の香料が添加され得る。任意の種類の香料も本発明の組成物に使用することができる。組成物中の全ての香料がシクロデキストリン分子と錯体を形成するとしても、適切な臭いの抑制を行うために、依然として溶液中に有効濃度の非錯体型のシクロデキストリン分子が存在するような濃度で香料を添加することが必須である。臭いの抑制を行うためシクロデキストリン分子の有効量を残すために、香料とシクロデキストリンの錯体が通常約９０％未満、好ましくは香料とシクロデキストリンの錯体が約５０％未満、さらに好ましくは香料とシクロデキストリンの錯体が約３０％未満、最も好ましくは香料とシクロデキストリンの錯体が約１０％未満になる濃度で香料は存在する。
【００７９】
シクロデキストリンの香料に対する重量比は約８：１より大きく、好ましくは約１０：１より大きく、更に好ましくは約２０：１より大きく、更に一層好ましくは４０：１より大きく、及び最も好ましくは約７０：１よりも大きい。
【００８０】
好ましくは、香料は親水性であり、主に２つの群の成分から選択される成分、及びこれらの混合物から成るが、それは即ち（ａ）ＣｌｏｇＰ約３．５未満、さらに好ましくは約３．０未満を有する親水性成分、及び（ｂ）大幅に低い検出閾値を有する成分である。通常、少なくとも約５０重量％、好ましくは少なくとも約６０重量％、さらに好ましくは少なくとも７０重量％、及び最も好ましくは少なくとも約８０重量％の香料が上記の群（ａ）及び（ｂ）の香料成分から成る。これらの好ましい香料において、香料に対するシクロデキストリンの重量比は通常約２：１〜約２００：１；好ましくは約４：１〜約１００：１、さらに好ましくは約６：１〜約５０：１、及び一層さらに好ましくは約８：１〜約３０：１である。
【００８１】
（ａ）親水性の香料成分
親水性香料成分は水中でより可溶性であり、シクロデキストリンと錯体となる傾向がそれほどなく、及び従来の香料成分よりも、臭気吸収組成物の中で利用可能である。香料成分の疎水性の度合いは、そのオクタノール／水の分配係数Ｐに相関関係があり得る。香料成分のオクタノール／水への分配係数は、オクタノール中及び水中におけるその平衡濃度の間の比率である。大きな分配係数Ｐを有する香料成分ほど疎水性が高いと考えられる。逆に、小さな分配係数Ｐを有する香料成分ほど親水性が高いと考えられる。香料成分の分配係数は通常、高い値を有するので、それらの１０を底とする対数、ｌｏｇＰの形で示すと便利である。したがって、本発明の好ましい香料の親水性香料成分のｌｏｇＰの値は、約３．５又はそれより小さく、好ましくは約３．０又はそれより小さい。
【００８２】
多数の香料成分のｌｏｇＰの値が報告されており；例えば、デイライトケミカルインフォメーションシステム社（Ｄａｙｌｉｇｈｔ ＣＩＳ）（カリフォルニア州アーヴィン）より市販されるＰｏｍｏｎａ９２データベースには、元の文献の引用とともに多数のデータが記載されている。しかし、ｌｏｇＰ値は、最も簡単にはＤａｙｌｉｇｈｔＣＩＳから入手できる「ＣＬＯＧＰ」プログラムにより計算される。このプログラムは、Ｐｏｍｏｎａ９２データベースにあるデータについて実験に基づくｌｏｇＰの値も一覧にしている。「計算されたｌｏｇＰ（ＣｌｏｇＰ）は、ハンシュ（Ｈａｎｓｃｈ）及びレオ（Ｌｅｏ）の分画法によって決定される（参考として本明細書に組み入れるＡ．レオによる「包括的医化学（Ｃｏｍｐｒｅｈｅｎｓｉｖｅ Ｍｅｄｉｃｉｎａｌ Ｃｈｅｍｉｓｔｒｙ）」第４巻、Ｃ．ハッシュ（Ｈａｎｓｃｈ）、Ｐ．Ｇ．サメンス（Ｓａｍｍｅｎｓ）、Ｊ．Ｂ．テイラー（Ｔａｙｌｏｒ）、及びＣ．Ａ．ラムスデン（ａｍｓｄｅｎ）編の２９５ページ（ペルガモンプレス（Ｐｅｒｇａｍｏｎ Ｐｒｅｓｓ）、１９９０年を参照）。この分画法は、各香料成分の化学構造をベースにして、原子の数と種類、原子の結合性、及び化学結合を考慮に入れている。このＣｌｏｇＰ値は、最も信頼性が高く、このような物理化学の特性を評価するために広く使用され、本発明に有効な香料成分を選択する際に、実験に基づくｌｏｇＰの値の代わりに使用される。
【００８３】
更に好ましい親水性香料成分の例は、アリルアミルグリコレート、アリルカプロエート、アミルアセテート、プロピオン酸アミル、アニスアルデヒド、アニシルアセテート、アニソール、ベンズアルデヒド、ベンジルアセテート、ベンジルアセトン、ベンジルアルコール、ベンジルホルマート、ベンジルイソバレレート、プロピオン酸ベンジル、β−γ−ヘキセノール、カローン、カンファーゴム、左旋性カルベオール、ｄ−カルボン、左旋性カルボン、シンナミックアルコール、シンナミルアセテート、シンナミックアルコール、シンナミルホルマート、プロピオン酸シンナミル、シス−ジャスモン、シス３−ヘキセニルアセテート、クマリン、クミニックアルコール、クミニックアルデヒド、シクラルＣ、シクロガルバネート、ジヒドロオイギノール、ジヒドロイソジャスモネート、ジメチルベンジルカルビノール、ジメチルベンジルカルビニルアセテート、エチルアセテート、エチルアセトアセテート、エチルアミルケトン、エチルアントラニエート、エチルベンゾエート、エチルブチレート、エチルシンナメート、エチルヘキシルケトン、エチルマルトール、エチル−２−メチルブチレート、エチルメチルフェニルグリシデート、エチルフェニルアセテート、エチルサリチレート、エチルバニリン、オイカリプトール、オイゲノール、オイゲニルアセテート、オイゲニルホルマート、オイゲニルメチルエーテル、フェンチルアルコール、フロラアセテート（トリシクロデセニルアセテート）、フラクトン、フルテン（トリシクロプロピオン酸デセニル）、ゲラニオール、ゲラニルオキシアセトアルデヒド、ヘリオトロピン、ヘキセノール、ヘキセニルアセテート、ヘキシルアセテート、ヘキシルホルマート、ヒノキチオール、ヒドラトロピックアルコール、ヒドロキシシトロネラール、ヒドロキシシトロネラールジエチルアセタール、ヒドロキシシトロネロール、インドール、イソアミルアルコール、イソシクロシトラール、イソオイゲノール、イソオイゲニルアセテート、イソメントン、イソプレギルアセテート、イソキノリン、ケオン、リグストラル、リナロール、リナロールオキシド、リナリルホルマート、ライラール、メントン、メチルアセトフェノン、メチルアミルケトン、メチルアントラニレート、メチルベンゾエート、メチルベンジルアセテート、メチルシンナメート、メチルジヒドロジャスモネート、メチルオイゲノール、メチルヘプテノン、メチルヘプチンカルボネート、メチルヘプチルケトン、メチルヘキシルケトン、メチルイソブテニルテトラヒドロピラン、メチル−Ｎ−メチルアントラニエート、メチル−β−ナフチルケトン、メチルフェニルカルビニルアセテート、メチルサリチラート、ネロール、ノナラクトン、オクタラクトン、オクチルアルコール（オクタノール２）、Ｐ−アニスアルデヒド、Ｐ−クレゾール、Ｐ−クレシルメチルエーテル、Ｐ−ヒドロキシフェニルブタノン、Ｐ−メトキシアセトフェノン、Ｐ−メチルアセトフェノン、フェノキシエタノール、プロピオン酸フェノキシエチル、フェニルアセトアルデヒド、フェニルアセトアルデヒドジエチルエーテル、フェニルエチルオキシアセトアルデヒド、フェニルエチルアセテート、フェニルエチルアルコール、フェニルエチルジメチルカルビノール、フェニルアセテート、プロピルブチレート、プレゴン、ローズオキシド、サフロール、テルピネオール、バニリン、ビリジン及びそれらの混合物であるが、これらに限定されない。
【００８４】
本発明の香料組成物に使用し得る、その他の好ましい親水性香料成分の非限定的な例は、アリルヘプトエート、アミルベンゾエート、アネトール、ベンゾフェノン、カルバクロール、シトラール、シトロネロール、シトロネリルニトリル、シクロヘキシル酢酸エチル、サイマール、４−デセナ−ル（ｄｅｃｅｎａｌ）、ジヒドロイソジャスモネート、ジヒドロミルセノール（ｍｙｒｃｅｎｏｌ）、エチルメチルフェニルグリシデート、フェンチルアセテート、フロリドラル（ｆｌｏｒｈｙｄｒａｌ）、γ−ノナラクトン、ゲラニルホルマート、ゲラニルニトリル、ヘキセニルイソブチレート、α−イオノン、イソボルニルアセテート、イソブチルベンゾエート、イソノニルアルコール、イソメントール、Ｐ−イソプロピルフェニルアセトアルデヒド、イソプレゴール、リナリルアセテート、２−メトキシナフタレン、メンチルアセテート、メチルカビコール、ムスクケトン、β−ナフトールメチルエーテル、ネラール、ノニルアルデヒド、フェニルヘプタノール、フェニルヘキサノール、ターピニルアセテート、ベラトロール、ヤラ−ヤラ（ｙａｒａ−ｙａｒａ）及びそれらの混合物である。
【００８５】
本発明用いられる好ましい香料組成物は、少なくとも４つの異なる親水性香料成分、好ましくは少なくとも５つの異なる親水性香料成分、さらに好ましくは少なくとも６つの異なる親水性香料成分、及び一層さらに好ましくは少なくとも７つの異なる親水性香料成分を含有する。天然資源から得られる、最も一般的な香料成分は、多数の成分から成る。こうした各物質が本発明の好ましい香料組成物の配合に用いられる場合、本発明の定義上は一つの単一成分として数えられる。
【００８６】
（ｂ）匂い検出閾値の低い香料成分
匂いのある物質の臭気検出閾値とは、嗅覚で感知できる物質の最低蒸気濃度である。臭気検出閾値及びいくつかの臭気検出閾値は、例えば「標準化したヒト嗅覚の閾値（Ｓｔａｎｄａｒｄｉｚｅｄ Ｈｕｍａｎ Ｏｌｆａｃｔｏｒｙ Ｔｈｒｅｓｈｏｌｄｓ）」（Ｍ．デボス（Ｄｅｖｏｓ）ら、オックスフォードユニバシティプレスのＩＲＬプレス、１９９０年）及び「臭気と味覚を合わせた閾値の値データ」（Ｆ．Ａ．ファザラリ（Ｆａｚｚａｌａｒｉ）編、ＡＳＴＭデータシリーズＤＳ４８Ａ、（米国材料試験協会、１９７８年）で議論されており、該出版物を参考として組み入れる。匂い検出閾値の低い少量の香料成分を使用すると、たとえ上述の香料成分の（ａ）群ほど親水性が高くないとしても、香料の匂いの特性を改善することができる。上述の（ａ）群に属さない香料成分ではあるが、著しく低い検出閾値を有し、本発明の組成物に有効である香料成分は、アンブロックス、バクダノール、ベンジルサリチラート、ブチルアントラニレート、セタロックス、ダマスセノン、α−ダマスコーン、γ−ドデカラクトン、エバノール、ハーババート、シス−３−ヘキセニルサリチラート、α−イオノン、β−イオノン、α−イソメチルイオノン、リリアル、メチルノニルケトン、γ−ウンデカラクトン、ウンデシレンアルデヒド及びそれらの混合物から成る群から選択される。これらの物質は、（ａ）群の親水性成分に加えて、好ましくは低濃度で存在し、本発明の総香料組成物の、典型的には約２０重量％未満、好ましくは約１５重量％未満、更に好ましくは約１０重量％未満である。しかし、効果を示すためには低濃度しか必要としない。
【００８７】
更に（ａ）群の親水性成分にはきわめて低い検出閾値の成分があり、特に本発明の組成物には有効である。これらの成分の例は、アリルアミルグリコレート、アネトール、ベンジルアセトン、カローン、シンナミックアルコール、クマリン、シクロガルバネート、サイクラルＣ、サイマール、４−デセナール、ジヒドロイソジャスモネート、エチルアントラニレート、エチル−２−メチルブチレート、エチルメチルフェニルグリシデート、エチルバニリン、オイゲノール、フローアセテート、フローヒドラル、フラクトン、フルテン、ヘリオトロピン、ケオン、インドール、イソシクロシトラール、イソオイゲノール、ライラール、メチルヘプチンカーボネート、リナロール、メチルアントラニレート、メチルジヒドロジャスモネート、メチルイソブテニルテトラヒドロピラン、メチル−β−ナフチルケトン、β−ナフトールメチルエーテル、ネロール（ｎｅｒｏｌ）、Ｐ−アニスアルデヒド、Ｐーヒドロキシフェニルブタノン、フェニルアセトアルデヒド、バニリン、及びそれらの混合物である。匂い検出閾値の低い香料成分を使用すると、大気中に放散する有機物質の濃度を最小限にする。
【００８８】
低分子量のポリオール類
エチレングリコール、ジエチレングリコール、プロピレングリコール及び／又はグリセロールのような、水と比較してかなり沸点の高い低分子量ポリオールは、本発明の組成物の匂いの調節性能を改善するために好ましい任意成分である。理論に束縛されないで、低分子量のグリコール類を本発明の組成物に組み入れることは布地が乾燥するにつれてシクロデキストリン包接錯体の形成を高めると考えられている。
【００８９】
水よりも長い時間、布地上に残るポリオールの能力は、布が乾燥するにつれそれとシクロデキストリン及び幾つかの悪臭分子との３次元錯体を形成させてしまうと考えられている。グリコール類の添加はシクロデキストリンの空洞内の空間を満たすと考えられており、それによって相対的にサイズの小さい悪臭分子により完全に満たされるのが不可能になる。使用するグリコールは、好ましくはグリセリン、エチレングリコール、プロピレングリコール、ジプロピレングリコール又はそれらの混合物、更に好ましくはエチレングリコール及びプロピレングリコールである。ポリオール類を除去することなくシクロデキストリンを使用し得るように、そのようなポリオールの濃度をもたらす方法でシクロデキストリンを調製することがきわめて望ましい。
【００９０】
ポリオール類の一部、例えば、ジプロピレングリコールは、本発明の組成物における香料成分の可溶化を促進するのにも有用である。
【００９１】
典型的には、グリコールは本発明の組成物に、組成物の約０．０１重量％〜約３重量％で、好ましくは組成物の約０．０５重量％〜約１重量％、更に好ましくは約０．１重量％〜約０．５重量％で加える。低分子量ポリオールのシクロデキストリンに対する好ましい重量比は、約２：１，０００〜約２０：１００、更に好ましくは約３：１，０００〜約１５：１００、更に一層好ましくは約５：１，０００〜約１０：１００、及び最も好ましくは約１：１００〜約７：１００である。
【００９２】
任意の、しかし好ましい成分：
アミノカルボキシレートキレート化剤
例えば、エチレンジアミン四酢酸（ＥＤＴＡ）、ヒドロキシエチレン−ジアミン三酢酸、ジエチレントリアミン五酢酸、及びその他のアミノカルボキシレートキレート化剤、及びこれらの混合物、及びそれらの塩、及びこれらの混合物のようなキレート化剤は、グラム陰性細菌、特にシュードモナス（Ｐｓｅｕｄｏｍｏｎａｓ）種に対する抗菌剤及び防腐剤の有効性を高めるために任意で用いることができる。その上、アミノカルボキシレートキレート化剤は、例えば製品の透明性の保持、芳香及び香料成分の保護、及び酸敗及び悪臭の抑制を援助し得る。
【００９３】
任意のキレート化剤は本発明に抗細菌の効果を付与するために、使用組成物の通常約０．０１重量％〜約０．３重量％、さらに好ましくは約０．０２重量％〜約０．１重量％、最も好ましくは約０．０２重量％〜約０．０５重量％の濃度で、本発明の組成物中に存在する。
【００９４】
金属塩
臭気吸収及び／又は抗菌の利益のために本発明の組成物に金属塩を添加することができる。金属塩は、銅塩、亜鉛塩、及びこれらの混合物から成る群から選択される。
【００９５】
好ましくは金属塩は、水溶性亜鉛塩、銅塩、又はこれらの混合物であり、より好ましくは亜鉛塩であり、特にＺｎＣｌ２である。
【００９６】
金属塩を本発明の組成物中に添加する場合には、その濃度が使用組成物の通常約０．１重量％〜約１０重量％、好ましくは約０．２重量％〜約８重量％、さらに好ましくは約０．３重量％〜約５重量％で存在する。亜鉛塩がその金属塩として使用され、そして透明な溶液が所望である場合、その溶液を透明に保つために、その溶液のｐＨは約７未満、更に好ましくは約６未満、最も好ましくは約５未満となるように調製することが好ましい。
【００９７】
上述の金属塩に加えて、アルカリ金属炭酸塩及び／又はアルカリ金属重炭酸塩のようなその他の塩も本発明の組成物に包含してもよい。
【００９８】
酵素
酵素も特定の種類の悪臭、嘔吐物質を包含する、特に尿、及び排泄の他の種類からの悪臭を抑制するのに用いることができる。プロテアーゼが特に望ましい。市販の酵素の活性は、考慮される酵素の種類や純度に依存する。
【００９９】
酵素は通常、水性組成物のグラムあたり重量において約５ｍｇまで、好ましくは約０．００１ｍｇ〜約３ｍｇ、さらに好ましくは約０．００２ｍｇ〜約１ｍｇの活性のある酵素を付与するのに十分な濃度で組み入れられる。特別に指摘しない限り、本明細書の水性組成物は、約０．０００１重量％〜約０．５重量％の、好ましくは約０．００１〜約０．３重量％の、さらに好ましくは約０．００５〜約０．２重量％の市販の酵素製剤を含むことができる。プロテアーゼ酵素は、通常、水性組成物のグラム当り０．０００５〜０．１アンソン単位（ＡＵ）の活性を付与するのに十分な濃度でこうした市販製剤に存在する。
【０１００】
市販の好適な、水溶性プロテアーゼの非限定的な例は、ペプシン、トリプシン、フィシン、ブロメリン、パパイン、レンニン、及びこれらの混合物である。パパインは、例えばパパイヤラテックスから単離することができ、精製形態で例えば約８０％までのタンパク質で、又はより粗製では、更により低い活性の工業銘柄で市販されている。プロテアーゼの他の好適な例はズブチリシンであり、Ｂ．ズブチリス（Ｂ．ｓｕｂｔｉｌｉｓ）、及びＢ．リケニフォームス（Ｂ．ｌｉｃｈｅｎｉｆｏｒｍｓ）の特別な株から得られる。別の好適なプロテアーゼは、バシラス（Ｂａｃｉｌｌｕｓ）の株から得られ、ｐＨ範囲８〜１２全体において、最大の活性を有し、ノボ・インダストリーズＡ／Ｓ（Ｎｏｖｏ Ｉｎｄｕｓｔｒｉｅｓ Ａ／Ｓ）により開発され、登録商品名エスペラーゼ（ＥＳＰＥＲＡＳＥ（登録商標））として販売されている。この酵素及び類似の酵素の調製は、ノボ（Ｎｏｖｏ）の英国特許明細書番号第１，２４３，７８４号に記載されている。タンパク質ベースの染みを落とすのに好適なタンパク質分解酵素は市販されており、商品名アルカラーゼ（ＡＬＣＡＬＡＳＥ（登録商標））、及びザビナーゼ（ＳＡＶＩＮＡＳＥ（登録商標））としてノボ・インダストリーズＡ／Ｓ（Ｎｏｖｏ Ｉｎｄｕｓｔｒｉｅｓ Ａ／Ｓ）（デンマーク）より、及びマキサターゼ（ＭＡＸＡＴＡＳＥ（登録商標））として、インターナショナル・バイオシンセティックス社（Ｉｎｔｅｒｎａｔｉｏｎａｌ Ｂｉｏ−Ｓｙｎｔｈｅｔｉｃｓ、Ｉｎｃ．）（オランダ）より販売されているものが挙げられる。他のプロテアーゼとしては、プロテアーゼＡ（欧州特許出願第１３０，７５６号、１９８５年１月９日公開を参照のこと）；プロテアーゼＢ（欧州特許出願番号第８７３０３７６１．８号（１９８７年４月２８日公開）及び欧州特許出願第１３０，７５６号（１９８５年１月９日、ボット（Ｂｏｔｔ）らに公開）を参照のこと）；及び１つ以上の以下の特許：米国特許番号第５，１８５，２５８号、第５，２０４，０１５号及び第５，２４４，７９１号（カルドウエル（Ｃａｌｄｗｅｌｌ）ら）に従ってゼネンカー・インターナショナル社（Ｇｅｎｅｎｃｏｒ Ｉｎｔｅｒｎａｔｉｏｎａｌ，Ｉｎｃ．）により製造されたプロテアーゼが挙げられる。
【０１０１】
広範囲の酵素物質、及び液体組成物へのその組み込みについてはまた、１９７１年１月５日にマクカーティ（ＭｃＣａｒｔｙ）らに発行された米国特許第３，５５３，１３９号に開示されている。酵素はさらに米国特許第４，１０１，４５７号（１９７８年７月１８日発行、プレイス（Ｐｌａｃｅ）ら）、及び米国特許第４，５０７，２１９号（１９８５年３月２６日発行、ヒュージズ（Ｈｕｇｈｅｓ））に開示されている。液状製剤、及びかかる製剤への組みこみに有用なその他の酵素物質は、米国特許第４，２６１，８６８号（１９８１年４月１４日発行、ホラ（Ｈｏｒａ）ら）に開示されている。種々の技術、例えば、米国特許第３，６００，３１９号（１９７１年８月１７日発行、ゲッジ（Ｇｅｄｇｅ）ら）、欧州特許出願公開番号第０１９９４０５号、出願番号第８６２００５８６．５号（１９８６年１０月２９日公開、ベネガス（Ｖｅｎｅｇａｓ））、及び米国特許第３，５１９，５７０号に開示され、例示されているものによって酵素を安定化することができる。上記特許及び出願のすべてを少なくとも関連のある部分について本明細書に組み入れる。
【０１０２】
酵素−ポリエチレングリコール抱合体もまた好ましい。こうした酵素のポリエチレングリコール（ＰＥＧ）誘導体では、そのＰＥＧ、又はアルコキシ−ＰＥＧ部分が、例えば第二級アミン結合を介して、タンパク質分子に共役している。好適な誘導体は、一方ではなお酵素の活性を保持しながら、免疫原性を減少させ、従ってアレルギー反応を最小にする。プロテアーゼ−ＰＥＧの１つの例は、ＰＥＧ−ズブチリシン・カールスバーグ（ＰＥＧ−ｓｕｂｔｉｌｉｓｉｎ Ｃａｒｌｓｂｅｒｇ）であり、Ｂ．リケンニホルミス（Ｂ．ｌｉｃｈｅｎｎｉｆｏｒｍｉｓ）がメトキシ−ＰＥＧと、第二級アミン結合を介して共役しており、ミズーリー州、セントルイス（Ｓｔ．Ｌｏｕｉｓ）のシグマ−アルドリッチ社（Ｓｉｇｍａ−Ａｌｄｒｉｃｈ Ｃｏｒｐ．）より入手可能である。
【０１０３】
防腐剤
可溶化される、水溶性の、抗菌防腐剤を本発明の組成物に添加することができる。
【０１０４】
本発明に有効な抗菌防腐剤には、生物致死性化合物すなわち殺微生物物質、又は制生剤化合物すなわち微生物の増殖を阻害する及び／又は抑制する物質が含まれる。好適な防腐剤の列記は米国特許第５，７１４，１３７号に見い出すことができる。
【０１０５】
防腐剤の好ましい濃度は使用組成物の約０．０００１重量％〜約０．５重量％、さらに好ましくは約０．０００２重量％〜約０．２重量％、最も好ましくは約０．０００３重量％〜約０．１重量％である。
【０１０６】
大部分のシクロデキストリンを臭気抑制のために残しておくために、防腐剤に対するシクロデキストリンのモル比は約５：１より大きく、好ましくは約１０：１より大きく、さらに好ましくは５０：１より大きく、一層さらに好ましくは１００：１より大きい。
【０１０７】
皺制御剤
好ましくは布地潤滑剤、形状保持ポリマー、親水性の可塑剤、リチウム塩、及びこれらの混合物から成る群から選択される布地の皺制御剤も、本発明の組成物に組み入れられてもよい。好ましくは、その他の成分のように布地の皺制御剤もシクロデキストリン−相容性である。布地の皺制御剤の非限定例は、シリコーン、合成固形粒子（例えば、クラリアント（Ｃｌａｒｉａｎｔ）から入手可能なベルストール（Ｖｅｌｕｓｔｒｏｌ）Ｐ−４０酸化ポリエチレンエマルション）、モノ−及びポリカルボン酸、カルボン酸のアクリレート類、アクリルアミド類、エステル類、カルボン酸のアミド類及びイミド類、デンプン及びそれらの誘導体、キチン及びそれらの誘導体である。
【０１０８】
市販品として入手可能である好ましい形状保持ポリマーの非限定的な例は、ＧＡＦケミカルズ・コーポレーション（ＧＡＦ Ｃｈｅｍｉｃａｌｓ Ｃｏｒｐｏｒａｔｉｏｎ）から入手可能なコポリマー（Ｃｏｐｏｌｙｍｅｒ）９５８（登録商標）（分子量約１００，０００）及びコポリマー９３７（分子量約１，０００，０００）のようなポリビニルピロリドン／ジメチルアミノエチルメタクリレートコポリマー；サンドズ・ケミカル・コーポレーション（Ｓａｎｄｏｚ Ｃｈｅｍｉｃａｌｓ Ｃｏｒｐｏｒａｔｉｏｎ）から入手可能なカルタレチン（Ｃａｒｔａｒｅｔｉｎ）Ｆ−４（登録商標）及びＦ−２３のようなアジピン酸／ジメチルアミノヒドロキシプロピルジエチレントリアミンコポリマー；三菱化学株式会社から入手可能なダイアフォーマー（Ｄｉａｆｏｒｍｅｒ）Ｚ−ＳＭ（登録商標）のようなメタクリロイルエチルベタイン／メタクリレート類コポリマー；エア・プロダクツ・アンド・ケミカルズ（Ａｉｒ Ｐｒｏｄｕｃｔｓ ａｎｄ Ｃｈｅｍｉｃａｌｓ）から入手可能なビネック（Ｖｉｎｅｘ）２０１９（登録商標）又はクラリアント（Ｃｌａｒｉａｎｔ）から入手可能なモウェオール（Ｍｏｗｅｏｌ）（登録商標）のようなポリビニルアルコールコポリマー樹脂；ハーキュレス・インコーポレーテッド（Ｈｅｒｃｕｌｅｓ Ｉｎｃｏｒｐｏｒａｔｅｄ）から入手可能なデルセット（Ｄｅｌｓｅｔｔｅ）１０１（登録商標）のようなアジピン酸／エポキシプロピルジエチレントリアミンコポリマー；サイテック・インダストリーズ（Ｃｙｔｅｃ Ｉｎｄｕｓｔｒｉｅｓ）から入手可能なサイプロ（Ｃｙｐｒｏ）５１５（登録商標）のようなポリアミン樹脂類；ハーキュレス・インコーポレーテッド（Ｈｅｒｃｕｌｅｓ Ｉｎｃｏｒｐｏｒａｔｅｄ）から入手可能なキメン（Ｋｙｍｅｎｅ）５５７Ｈ（登録商標）のようなポリ四級アミン樹脂類；及びＢＡＳＦから入手可能なソカラン（Ｓｏｋａｌａｎ）ＥＧ３１０（登録商標）のようなポリビニルピロリドン／アクリル酸である。
【０１０９】
シリコーンが存在する場合、それは少なくとも布地の潤滑性を付与するのに有効な量、通常、使用組成物の約０．１重量％〜約５重量％、好ましくは約０．２重量％〜約３重量％、さらに好ましくは約０．３重量％〜約２重量％で存在する。
【０１１０】
固形ポリマー粒子が存在する場合、それらは少なくとも布地の潤滑性を付与するのに有効な量、通常、使用組成物の約０．０１重量％〜約３重量％、好ましくは約０．０５重量％〜約１重量％、さらに好ましくは約０．１重量％〜約０．５重量％で存在する。
【０１１１】
接着性ポリマーは、布地の乾燥重量あたり約０．００１重量％〜約１重量％、好ましくは約０．０１重量％〜約０．５重量％、さらに好ましくは約０．０２重量％〜約０．４重量％のポリマーの量を生じるのに十分な量で組成物中に存在する。
【０１１２】
濃縮組成物もまたより高価でない製品を付与するために用いられる。濃縮された製品を用いる場合、すなわち、皺削減活性物質が濃縮組成物の約５重量％〜約５０重量％である場合、布地を処理する前に組成物を希釈するのが好ましい。好ましくは、皺削減活性物質は、組成物の約５０重量％〜約１０，０００重量％、さらに好ましくは約５０重量％〜約８，０００重量％、及び一層さらに好ましくは約５０重量％〜約５，０００重量％の水で希釈される。
【０１１３】
親水性可塑剤が用いられる場合、使用組成物の約０．００１重量％〜約５重量％で、好ましくは約０．０５重量％〜約２重量％で、さらに好ましくは約０．１重量％〜約１重量％の濃度で存在する。
【０１１４】
リチウム塩の有用な濃度は使用される組成物の約０．１重量％〜約１０重量％、好ましくは約０．５重量％〜約７重量％、より好ましくは約１重量％〜約５重量％である。
【０１１５】
他の任意成分
本発明の組成物は、任意で、シクロデキストリン分子以外に、悪臭抑制添加物質、キレート化剤、静電気抑制剤、昆虫及び蛾の忌避剤、着色剤、特別青味剤、酸化抑制剤、スーパー展着剤、澄まし剤、その他のシリコーン化合物及びエマルション、粘度調節剤、目詰まり抑制剤、緩衝剤、布地保護用の糖類、多糖類、オリゴ糖類、及びこれらの混合物を含有することができる。任意成分の総濃度は低く、使用組成物の好ましくは約５重量％未満、より好ましくは約３重量％未満、及び更により好ましくは約２重量％未満である。これらの任意成分は、これ以前に具体的に記載した他の成分を除外する。臭気抑制添加物質を組み込むことにより、シクロデキストリンが臭気を抑制する能力を高め、並びに抑制し得る臭気の種類、及び分子の大きさの範囲を広げることができる。かかる物質には、例えば、金属塩、水溶性陽イオン系及び陰イオン系ポリマー、ゼオライト類、水溶性重炭酸塩、及びこれらの混合物が挙げられる。
【０１１６】
任意の粘度調節化合物―電解質は、本組成物において粘度を下げるのに有用である。理論により制限されないが、カルボン酸ポリマーがある程度の電荷を有する場合にはこれらの静電気的反発により粘度が生じるが、電解質は静電気的反発を減少させる遮蔽物を電荷の間に付与し、そのため粘度を減少することができる。
【０１１７】
希釈液の粘度を減少させるのに好適な無機塩には、ＭｇＩ２、ＭｇＢｒ２、ＭｇＣｌ２、Ｍｇ（ＮＯ３）２、Ｍｇ３（ＰＯ４）２、Ｍｇ２Ｐ２Ｏ７、ＭｇＳＯ４、珪酸マグネシウム、ＮａＩ、ＮａＢｒ、ＮａＣｌ、ＮａＦ、Ｎａ３（ＰＯ４）、ＮａＳＯ３、Ｎａ２ＳＯ４、Ｎａ２ＳＯ３、ＮａＮＯ３、ＮａＩＯ３、Ｎａ３（ＰＯ４）、Ｎａ４Ｐ２Ｏ７、珪酸ナトリウム、メタ珪酸ナトリウム、ソジウムテトラクロロアルミネート（ｓｏｄｉｕｍ ｔｅｔｒａｃｈｌｏｒｏａｌｕｍｉｎａｔｅ）、トリポリリン酸ナトリウム（ＳＴＰＰ）、Ｎａ２Ｓｉ３Ｏ７、ジルコン酸ナトリウム、ＣａＦ２、ＣａＣｌ２、ＣａＢｒ２、ＣａＩ２、ＣａＳＯ４、Ｃａ（ＮＯ３）２、Ｃａ、ＫＩ、ＫＢｒ、ＫＣｌ、ＫＦ、ＫＮＯ３、ＫＩＯ３、Ｋ２ＳＯ４、Ｋ２ＳＯ３、Ｋ３（ＰＯ４）、Ｋ４（Ｐ２Ｏ７）、ピロ硫酸カリウム、ピロ亜硫酸カリウム、ＬｉＩ、ＬｉＢｒ、ＬｉＣｌ、ＬｉＦ、ＬｉＮＯ３、ＡｌＦ３、ＡｌＣｌ３、ＡｌＢｒ３、ＡｌＩ３Ａｌ２（ＳＯ４）３、Ａｌ（ＰＯ４）、Ａｌ（ＮＯ３）３、珪酸アルミニウムが挙げられ；これらの塩の水和物が包含され、及びこれらの塩の組み合わせ、又は混合陽イオンの塩、例えばカリミョウバンＡｌＫ（ＳＯ４）２、及び混合陰イオンの塩、例えばポタジウムテトラクロロアルミネート（ｐｏｔａｓｓｉｕｍ ｔｅｔｒａｃｈｌｏｒｏａｌｕｍｉｎａｔｅ）、及びソジウムテトラフルオロアルミネート（ｓｏｄｉｕｍ ｔｅｔｒａｆｌｕｏｒｏａｌｕｍｉｎａｔｅ）が包含される。周期表のＩＩＩａ、ＩＶａ、Ｖａ、ＶＩａ、ＶＩＩａ、ＶＩＩＩ、Ｉｂ、及びＩＩｂ族で、原子数が１３を超える陽イオンが組み込まれた塩はまた、希釈液の粘度を減少するのに有用であるが、酸化状態が変化しやすいため、処方の臭い又は色に悪影響を与えうること、又は重量効率性が低いことから、それほど好ましくない。Ｉａ、又はＩＩａの群で、原子数が２０を超える陽イオンの塩、並びにラクチニド系列、又はアクチニド系列よりの陽イオンとの塩が、希釈液の粘度を減少するのに有用であるが、より低い重量効率性、又は毒性のため、それほど好ましくない。上記の塩の混合物もまた有用である。
【０１１８】
本発明に有用な有機塩には、カルボン酸のマグネシウム、ナトリウム、リチウム、カリウム、亜鉛、及びアルミニウム塩が挙げられ、このカルボン酸塩にはギ酸塩、酢酸塩、プロプリオン酸塩、ペラルゴン酸塩、クエン酸塩、グルコン酸塩、乳酸塩、芳香族酸、例えば安息香酸塩、石炭酸塩、及び置換型安息香酸塩又は石炭酸塩、例えば石炭酸塩、サリチル酸塩、ポリ芳香族酸テレフタル酸塩、及びポリ酸、例えば、オキシレート（ｏｘｙｌａｔｅ）、アジピン酸塩、コハク酸塩、ベンゼンジカルボキシレート、ベンゼントリカルボキシレートが挙げられる。他の有用な有機塩には炭酸塩、及び／又は炭酸水素塩（ＨＣＯ３−１）が挙げられ、ｐＨが好適である場合は、アルキル及び芳香族硫酸塩及びスルホン酸塩、例えばメチル硫酸ナトリウム、ベンゼンスルホン酸塩及び誘導体、例えばキシレンスルホン酸塩、及びｐＨが好適である場合はアミノ酸が挙げられる。電解質は、上記の混合塩、混合陽イオンにより中和された塩、例えば酒石酸カリウム／ナトリウム、部分的に中和された塩、例えば酒石酸水素ナトリウム、又はフタル酸水素カリウム、及び混合陰イオンと一つの陽イオンを含む塩を含むことができる。
【０１１９】
他の有用な有機塩には、陽イオン性塩を形成するように、添加の前、又はその場でプロトン化されたアミノ化合物が挙げられ、例えば、トリスアミノ（ＴｒｉｓＡｍｉｎｏ）（登録商標）（２−アミノ−２−ヒドロキシメチル−１，３−プロパンジオール）、又はＡＭＰＤ（登録商標）（２−アミノ−２−メチル−１，３−プロパンジオール）であり、両方共アンガス・ケミカル社（ＡｎｇｕｓＣｈｅｍｉｃａｌＣｏｍｐａｎｙ）より入手可能である。
【０１２０】
一般に無機電解質は、より良好な重量効率、及びより低価格であるため、有機電解質より好ましい。無機塩及び有機塩の混合物も用いることができる。組成物における電解質の典型的濃度は約１０％未満である。好ましくは、布地柔軟剤組成物の約０．５重量％〜約５重量％で、さらに好ましくは約０．７５重量％〜約２．５重量％、及び最も好ましくは約１重量％〜約２重量％。
【０１２１】
任意の静電気抑制剤―本発明の組成物は、静電気を帯びた衣料品を処理するために、任意に追加の有効量の他の静電気抑制剤を含有することができる。好ましい静電気抑制剤は、少なくとも有効量において水溶性であり、組成物が透明な溶液になるようなものである。これら静電気抑制剤の例は、モノアルキル陽イオン系第四級アンモニウム化合物、例えば、モノラウリルトリメチルアンモニウムクロリド、ヒドロキシセチルヒドロキシエチルジメチルアンモニウムクロリドのようなモノ（Ｃ１０〜Ｃ１４のアルキル）トリメチルアンモニウムハロゲン化物であり、商品名デヒコートＥ（登録商標）でヘンケル（Ｈｅｎｋｅｌ）から入手可能であり、及びエチルビス（ポリエトキシエタノール）アルキルアンモニウムエチルサルフェートであり、商品名バリクアット（Ｖａｒｉｑｕａｔ）６６（登録商標）でウィトココーポ（Ｗｉｔｃｏ Ｃｏｒｐ．）から入手可能であり、ポリエチレングリコール、次の一般式に一致するポリマーのようなポリマーの第四級アンモニウム塩であり：
［Ｎ（ＣＨ３）２−（ＣＨ２）３−ＮＨ−ＣＯ−ＮＨ−（ＣＨ２）３−Ｎ（ＣＨ３）２＋−ＣＨ２ＣＨ２ＯＣＨ２ＣＨ２］ｘ２＋２ｘ［Ｃｌ−］で、
商品名ミラポール（Ｍｉｒａｐｏｌ）Ａ−１５（登録商標）にてローヌプーラン（Ｒｈ（ｏ）ｎｅ−Ｐｏｕｌｅｎｃ）から入手可能であり、及び
［Ｎ（ＣＨ３）２−（ＣＨ２）３−ＮＨ−ＣＯ−（ＣＨ２）４−ＣＯ−ＮＨ−（ＣＨ２）３−Ｎ（ＣＨ３）２−（ＣＨ２ＣＨ２ＯＣＨ２ＣＨ２］ｘ＋ｘ［Ｃｌ−］で、
商品名ミラポール（Ｍｉｒａｐｏｌ）ＡＤ−１（登録商標）にてローヌプーラン（Ｒｈ（ｏ）ｎｅ−Ｐｏｕｌｅｎｃ）から入手可能であり、商品名ガフクァットＨＳ−１００（登録商標）でＧＡＦから入手可能な四級化されたポリエチレンイミン類、ビニルピロリドン／メタクリルアミドプロピルトリメチルアンモニウムクロリドコポリマー、；商品名クアット−プロ（Ｑｕａｔ−Ｐｒｏ）Ｅ（登録商標）でメイブルック（Ｍａｙｂｒｏｏｋ）から入手可能なトリエトニウム加水分解コラーゲンエトサルフェート、；例えば、商品名ベルサ（Ｖｅｒｓａ）ＴＬ−１３０（登録商標）でアルコケミカル（Ａｌｃｏ Ｃｈｅｍｉｃａｌ）から入手可能な中和したスルホン化ポリスチレン、例えば、商品名ベルサ（Ｖｅｒｓａ）ＴＬ−４（登録商標）アルコケミカル（Ａｌｃｏ Ｃｈｅｍｉｃａｌ）から入手可能な中和したスルホン化スチレン／無水マレイン酸コポリマー；及びこれらの混合物である。
【０１２２】
布地を処置する間の泡の形成を避けるため、非発泡性又は低発泡性の剤を用いることが好ましい。またα−シクロデキストリンを用いる場合は、ポリエトキシレート化剤、例えばポリエチレングリコール又はバリコート６６（Ｖａｒｉｑｕａｔ ６６）（登録商標）を用いないことが好ましい。ポリエトキシレート基は、α−シクロデキストリンと強い親和力を有し、容易に錯体を形成し、次に臭気抑制に利用できる非錯体型シクロデキストリンを使い果たす。
【０１２３】
静電気抑制剤が用いられる場合、使用組成物の通常約０．０５重量％〜約１０重量％で、好ましくは約０．１重量％〜約５重量％で、さらに好ましくは約０．３重量％〜約３重量％の濃度で存在する。
【０１２４】
任意の着色剤―着色剤及び染料、特に青味剤は、視覚訴求及び性能の印象のため、皺制御組成物に任意に添加することができる。着色剤が用いられる場合は、布地に染みが付くのを避けるため、極めて低い濃度で用いられる。本発明の組成物に用いるのに好ましい着色剤は、高度に水溶性の染料であり、例えばリクイチント（Ｌｉｑｕｉｔｉｎｔ（登録商標））染料であり、ミリケン・ケミカル社（Ｍｉｌｌｉｋｅｎ Ｃｈｅｍｉｃａｌ Ｃｏ．）より入手できる。好適な染料の非限定的な例は、リキチント・ブルーＨＰ（Ｌｉｑｕｉｔｉｎｔ Ｂｌｕｅ ＨＰ（登録商標））、リキチント・ブルー６５（Ｌｉｑｕｉｔｉｎｔ Ｂｌｕｅ ６５（登録商標））、リキチント・パテント・ブルー（Ｌｉｑｕｉｔｉｎｔ Ｐａｔｅｎｔ Ｂｌｕｅ（登録商標））、リキチント・ロイヤル・ブルー（Ｌｉｑｕｉｔｉｎｔ Ｒｏｙａｌ Ｂｌｕｅ（登録商標））、リキチント・イクスペリメンタル・イエロー８９４９−４３（Ｌｉｑｕｉｔｉｎｔ Ｅｘｐｅｒｉｍｅｎｔａｌ Ｙｅｌｌｏｗ ８９４９−４３（登録商標））、リキチント・グリーンＨＭＣ（Ｌｉｑｕｉｔｉｎｔ Ｇｒｅｅｎ ＨＭＣ（登録商標））、リキチント・イエローＩＩ（Ｌｉｑｕｉｔｉｎｔ Ｙｅｌｌｏｗ ＩＩ（登録商標））、及びこれらの混合物であり、好ましくは、リキチント・ブルーＨＰ（Ｌｉｑｕｉｔｉｎｔ Ｂｌｕｅ ＨＰ（登録商標））、リキチント・ブルー６５（Ｌｉｑｕｉｔｉｎｔ Ｂｌｕｅ ６５（登録商標））、リキチント・パテント・ブルー（Ｌｉｑｕｉｔｉｎｔ Ｐａｔｅｎｔ Ｂｌｕｅ（登録商標））、リキチント・ロイヤル・ブルー（Ｌｉｑｕｉｔｉｎｔ Ｒｏｙａｌ Ｂｌｕｅ（登録商標））、リキチント・イクスペリメンタル・イエロー８９４９−４３（Ｌｉｑｕｉｔｉｎｔ Ｅｘｐｅｒｉｍｅｎｔａｌ Ｙｅｌｌｏｗ ８９４９−４３（登録商標））、及びこれらの混合物である。
【０１２５】
任意の目詰まり抑制剤―特に糊が存在する場合に、組成物の湿潤性及び目詰まり抑制を高める、任意の目詰まり抑制剤は、２〜約６、好ましくは２炭素原子を有する、アルカン及びオレフィンのポリマーグリコールから成る群から選択される。目詰まり抑制剤は噴霧器のノズルの中に栓が形成されるのを妨ぐ。好ましい目詰まり抑制剤の例は、約８００〜約１２，０００、さらに好ましくは約１，４００〜約８，０００の平均分子量を有するポリエチレングリコールである。使用する場合、目詰まり抑制剤は、使用組成物の約０．０１重量％〜約１重量％、好ましくは約０．０５重量％〜約０．５重量％、さらに好ましくは、約０．１重量％〜約０．３重量％で存在する。
【０１２６】
３．製造物品
本発明はまた（１）容器、（２）組成物、及び（３）任意ではあるが好ましくは指示、を含む製造物品を包含する。後述するように、多種多様の容器、組成物、及び指示が本発明の製造物品に使用され得る。
【０１２７】
本発明の製造物品は好ましくは一揃いの説明書を含み、この一揃いの説明書は通常は容器に付随する。一揃いの説明書は通常、微生物を殺傷すること又は減らすこと；臭気を減らすこと；及び／又は皺を減らすことに加えて静電気を減らすことを含む問題の解決を付与するために、及び又はそれに関する利益の対策を付与するために有効な量で組成物を分配するために、本物品の消費者に伝達する。
【０１２８】
本発明の物品の消費者はこれらの利益を承知していることは重要であるが、それはそうでないと消費者は、組成物がこれらの問題、又は問題の組み合わされたものを解決すること、及び／又は組成物がこれらの利益又は利益の組み合わされたものを付与することを知ることがないためである。
【０１２９】
本明細書で用いられる場合、「付随する」という語句は一揃いの説明書が容器又は基質自体に直接印刷されているか、又は別の方法で提示されているかのいずれかであることを意味し、この別の方法には、一揃いの説明書を製造物品の消費者に伝達するためのパンフレット、広告印刷物、電気的広告、及び／又は放送伝達が挙げられるが、これらに限定されない。一揃いの説明書は好ましくは、示された利益を付与するために、好ましくは噴霧により組成物の有効量を適用する指示を含み、この示された利益には、例えば皺の減少、及び任意に抗細菌作用、及び／又は静電気抑制効果などがあり、また任意に臭気の抑制及び／又は減少がある。
【０１３０】
説明書についてのより完全な開示は、この後に提示する。
【０１３１】
（１）容器
これらには、通常、清浄組成物を保管するのに好適である使い捨ての容器が挙げられる。これらは通常、好適なポリマーのいかなるもの、例えば、ＨＤＰＥから構成され、不透明、半透明又は透明であることができる。好ましくは、容器はビンである。好ましい実施形態では、下文でさらに詳細に記載するような説明書が容器上に永続的に、又は半永続的に取り付けられるか、又は印刷される。
【０１３２】
別の方法としてのもう一つの実施形態では、容器は、皺除去キャビネット／装置のような装置の中に取り外し可能に据え付けられるように設計される使い捨ての入れ物である。容器は、ロック及び鍵システムを介して装置に取り付ける。消費者は、説明書に従って装置に中に簡単に容器を取り付ける。必要に応じて、組成物は装置によって容器から直接、衣服に分配される。組成物をすべて使用したとき、容器を取り外し、配置する。使った容器は、装置で供給する類似の使い捨ての容器又はｐｒｅｍａｎｔ容器に交換する。
【０１３３】
（２）組成物
本発明の製造物品は、これ以前記載した組成物による皺制御組成物を含むことができる。本組成物は好ましくは使い捨てのビンのような容器に保持される。
【０１３４】
（３）一揃いの説明書
上文で議論したように、製造物品はまた、衣服を回復し、脱臭する及び仕上げるのに関連する利益を含む問題の解決及び／又はその対策を付与するのに有効な量にて組成物を使用するために一揃いの説明書と共に容器の中に本発明の組成物を含む。さもなければ消費者は組成物がこれらの問題を解決し、及び／又はこれらの利益を付与することを知らないので、消費者が、これら追加の利益を承知することが重要である。
【０１３５】
本明細書で用いられる場合、「付随する」という語句は一揃いの説明書が容器自体に直接印刷されているか、又は別の方法で提示されているかのいずれかであることを意味し、この別の方法には、一揃いの指示を製造物品の消費者に伝達するためのパンフレット、広告印刷物、電気的広告、及び／又は口頭による伝達が挙げられるが、これらに限定されない。一揃いの説明書は、好ましくは改変することによって衣服の衣料特性を確認する、好適な回復脱臭及び仕上げ組成物を確認し、及び、好ましくは衣服を回復、脱臭し及び仕上げるために布地に噴霧することにより、選択した有効量の回復脱臭及び仕上げ組成物を適用するための指示を好ましくは含む。
【０１３６】
本発明の物品の一揃いの説明書は、組成物のいかなる使用法を実行することにより、本明細書で論じた利益を達成するという指示、又は指示類を含んでもよく、組成物には本明細書で記載するように、該組成物が包含される。
【０１３７】
以下のものは本発明の非限定的な例である。本明細書における全ての百分率、比、及び割合、例、及び請求項は、重量によるものであり、特に指定しない限り正規近似であり、すべての参考文献は参考として引用し、本明細書に組み入れる。
【０１３８】
（実施例）
以下は、本発明の回復、脱臭及び仕上げ組成物の実施例である。
【０１３９】
実施例１：以下は、堅調仕上げで処理された衣服を付与する回復、脱臭及び仕上げ組成物の実施例である。
【表６】
2004506820.tif 000011
【０１４０】
実施例２：以下は、柔軟仕上げで処理された衣服を付与する回復、脱臭及び仕上げ組成物の実施例である。
【表７】
2004506820.tif 000012
【０１４１】
実施例３：以下は、柔軟仕上げ又は堅調仕上げのいずれかで処理した衣服を付与する回復、脱臭及び仕上げ組成物の実施例である（２イン１組成物）。
【表８】
2004506820.tif 000013
【０１４２】
実施例４：以下は、抗菌仕上げで処理された衣服を付与する回復、脱臭及び仕上げ組成物の実施例である。
【表９】
2004506820.tif 000014
【表１０】
2004506820.tif 000015
【０１４３】
実施例５：以下は、柔軟仕上げ、堅調仕上げ又は抗菌仕上げのいずれかで処理した衣服を付与する回復、脱臭及び仕上げ組成物の実施例である（３イン１組成物）。
【表１１】
2004506820.tif 000016
【０１４４】
実施例６：以下は、皮革、ＰＶＣ、ゴムなどのような非繊維性物質に適用するために設計された回復、脱臭及び仕上げ組成物の実施例である。
【表１２】
2004506820.tif 000017
【０１４５】
実施例７：以下は、衣料特性がどのように確認されるかの実施例である。
ハンガーにかけながら、赤と青の１００％綿のニットのポロシャツの端を軽く引っ張る。シャツは容易に伸縮せず、少しばかり元に戻る。このシャツは伸縮性の布地ではない。
【０１４６】
次に衣服の剛性を決定する。流動の衣服は動きに対して固有の妨害を有さないが、堅調は身体の動きを妨げる。この場合、シャツはドレーピングに抵抗するが、軽い外力は着用者に対して動きを誘発しない。このシャツは堅調の衣服である。
【０１４７】
好適な配合には、堅調処方、２イン１処方、及び抗菌処方が挙げられる。堅調処方が選択され、皺除去装置に中の衣服に適用される。
【図面の簡単な説明】
【図１】改変三角形としても知られる布地地図の図面である。
【図２Ａ】典型的な堅調の衣服の例証である。
【図２Ｂ】典型的な流動の衣服の例証である。
【図２Ｃ】典型的な伸縮性の衣服の例証である。
【図１】
2004506820.tif 000018
【国際公開パンフレット】
2004506820.tif 000019
2004506820.tif 000020
2004506820.tif 000021
2004506820.tif 000022
2004506820.tif 000023
2004506820.tif 000024
2004506820.tif 000025
2004506820.tif 000026
2004506820.tif 000027
2004506820.tif 000028
2004506820.tif 000029
2004506820.tif 000030
2004506820.tif 000031
2004506820.tif 000032
2004506820.tif 000033
2004506820.tif 000034
2004506820.tif 000035
2004506820.tif 000036
2004506820.tif 000037
2004506820.tif 000038
2004506820.tif 000039
2004506820.tif 000040
2004506820.tif 000041
2004506820.tif 000042
2004506820.tif 000043
2004506820.tif 000044
2004506820.tif 000045
2004506820.tif 000046
2004506820.tif 000047
2004506820.tif 000048
2004506820.tif 000049
2004506820.tif 000050
2004506820.tif 000051
2004506820.tif 000052
2004506820.tif 000053
2004506820.tif 000054
2004506820.tif 000055
2004506820.tif 000056
2004506820.tif 000057
2004506820.tif 000058
2004506820.tif 000059
2004506820.tif 000060
2004506820.tif 000061
2004506820.tif 000062
2004506820.tif 000063
2004506820.tif 000064
2004506820.tif 000065
2004506820.tif 000066
2004506820.tif 000067
2004506820.tif 000068
2004506820.tif 000069
2004506820.tif 000070
2004506820.tif 000071
2004506820.tif 000072
2004506820.tif 000073
2004506820.tif 000074
【国際公開パンフレット（コレクトバージョン）】
2004506820.tif 000075
2004506820.tif 000076
【国際調査報告】
2004506820.tif 000077
2004506820.tif 000078
2004506820.tif 000079
2004506820.tif 000080